(57)【要約】  本開示の実施例は、リンク管理のための方法及び装置を提供し、当該方法は、第１ネットワークデバイスが第２ネットワークデバイスにより送信された第１リンク品質パラメータを受信することと、当該第１ネットワークデバイスが当該第１リンク品質パラメータに基づいて、当該端末デバイスと当該第２ネットワークデバイスとの間の接続を要するかどうかを確定することとを含み、当該第１リンク品質パラメータは、端末デバイスと第２ネットワークデバイスとの間のリンク品質を示すために用いられ、当該第１ネットワークデバイスが当該端末デバイスに現在のサービスを提供する。本開示の実施例は、端末デバイスとネットワークデバイスとの間のリンクを正しく管理し、端末デバイスのシグナリングオーバーヘッドを節約させ、ユーザー体験を向上させることができる。
2019534612.tif 000002
【特許請求の範囲】
【請求項１】
リンク管理のための方法であって、
第１ネットワークデバイスが第２ネットワークデバイスにより送信された第１リンク品質パラメータを受信することと、
前記第１ネットワークデバイスが前記第１リンク品質パラメータに基づいて前記端末デバイスと前記第２ネットワークデバイスとの間の接続を要するかどうかを確定することとを含み、
前記第１リンク品質パラメータは、端末デバイスと第２ネットワークデバイスとの間のリンク品質を示すために用いられ、
前記第１ネットワークデバイスが前記端末デバイスに現在のサービスを提供する
ことを特徴とするリンク管理のための方法。
【請求項２】
前記第１ネットワークデバイスが前記第１リンク品質パラメータに基づいて前記端末デバイスと前記第２ネットワークデバイスとの間の接続を要するかどうかを確定する前に、前記方法は、さらに、
前記第１ネットワークデバイスが第２リンク品質パラメータを取得することを含み、前記第２リンク品質パラメータは、前記端末デバイスと前記第１ネットワークデバイスとの間のリンク品質を示すために用いられ、
前記第１ネットワークデバイスが前記第１リンク品質パラメータに基づいて前記端末デバイスと前記第２ネットワークデバイスとの間の接続を要するかどうかを確定することは、
前記第１ネットワークデバイスが前記第１リンク品質パラメータ及び前記第２リンク品質パラメータに基づいて、前記端末デバイスと前記第２ネットワークデバイスとの間の接続を要するかどうかを確定することを含む
ことを特徴とする請求項１に記載のリンク管理のための方法。
【請求項３】
前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが第１閾値より大きく、且つ前記第２リンク品質パラメータが第２閾値より小さい場合、前記第１ネットワークデバイスが前記端末デバイスと前記第２ネットワークデバイスとの間の接続を要すると確定することを含む
ことを特徴とする請求項２に記載のリンク管理のための方法。
【請求項４】
前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが前記第２リンク品質パラメータと第３閾値との和より大きい場合、前記第１ネットワークデバイスが前記端末デバイスと前記第２ネットワークデバイスとの間の接続を要すると確定することを含む
ことを特徴とする請求項２に記載のリンク管理のための方法。
【請求項５】
前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが第４閾値より小さく、且つ前記第２リンク品質パラメータが第５閾値より大きい場合、前記第１ネットワークデバイスが前記端末デバイスと前記第２ネットワークデバイスとの間の接続を要しないと確定することを含む
ことを特徴とする請求項２に記載のリンク管理のための方法。
【請求項６】
前記端末デバイスと前記第２ネットワークデバイスとの間の接続を要するかどうかを確定した後、前記方法は、さらに、
前記端末デバイスと前記第２ネットワークデバイスとの間の接続を要すると確定し、且つ前記端末デバイスと前記第２ネットワークデバイスとの間の接続が存在しない場合、前記第１ネットワークデバイスが前記端末デバイスと前記第２ネットワークデバイスとの間の接続を確立することを含む
ことを特徴とする請求項１〜５のいずれか１項に記載のリンク管理のための方法。
【請求項７】
前記第１ネットワークデバイスが前記端末デバイスと前記第２ネットワークデバイスとの間の接続を確立することは、
前記第１ネットワークデバイスが前記第１リンク品質パラメータに基づいて、前記端末デバイスと前記第２ネットワークデバイスとの間の接続を前記端末デバイスのリンク補助接続として追加することを含む
ことを特徴とする請求項６に記載のリンク管理のための方法。
【請求項８】
前記第１ネットワークデバイスが前記端末デバイスと前記第２ネットワークデバイスとの間の接続を確立することは、
前記第１ネットワークデバイスが前記第１リンク品質パラメータに基づいて、前記端末デバイスのリンクを前記第２ネットワークデバイスに切り替えることを含む
ことを特徴とする請求項６に記載のリンク管理のための方法。
【請求項９】
前記端末デバイスと前記第２ネットワークデバイスとの間の接続を要するかどうかを確定した後、前記方法は、さらに、
前記端末デバイスと前記第２ネットワークデバイスとの間の接続を要しないと確定し、且つ前記端末デバイスと前記第２ネットワークデバイスとの間の接続が存在している場合、前記第１ネットワークデバイスが前記端末デバイスと前記第２ネットワークデバイスとの間の接続を削除することを含む
ことを特徴とする請求項１〜８のいずれか１項に記載のリンク管理のための方法。
【請求項１０】
前記第１リンク品質パラメータは、前記端末デバイスと前記第２ネットワークデバイスとの間の信号受信強度、信号受信品質、リンクパスロスのうちの少なくとも１つを含む
ことを特徴とする請求項１〜９のいずれか１項に記載のリンク管理のための方法。
【請求項１１】
前記第１ネットワークデバイスが第２ネットワークデバイスにより送信された第１リンク品質パラメータを受信する前、前記方法は、さらに、
前記第１ネットワークデバイスが前記第２ネットワークデバイスに測定構成情報を送信することを含み、前記測定構成情報は、前記第２ネットワークデバイスが前記端末デバイスと前記第２ネットワークデバイスとの間のリンク品質を測定するように指示するために用いられ、
前記第１ネットワークデバイスが第２ネットワークデバイスにより送信された第１リンク品質パラメータを受信することは、
前記第１ネットワークデバイスが前記第２ネットワークデバイスの前記測定構成情報に基づいて送信した測定結果を受信することを含み、
前記測定結果には、測定されたビーム、セル、ネットワーク伝送ポイント、周波数ポイント情報のうちの少なくとも１つの前記第１リンク品質パラメータ及び前記端末デバイスのアップリンク送信時間基準情報のうちの少なくとも１つが含まれる
ことを特徴とする請求項１〜１０のいずれか１項に記載のリンク管理のための方法。
【請求項１２】
前記測定構成情報は、
測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、
前記送信時間基準情報は、前記端末デバイスのデータ送信時間を示すために用いられる
ことを特徴とする請求項１１に記載のリンク管理のための方法。
【請求項１３】
前記第１ネットワークデバイスが第２ネットワークデバイスにより送信された第１リンク品質パラメータを受信する前、前記方法は、さらに、
前記第１ネットワークデバイスが前記第２ネットワークデバイスに要求メッセージを送信することと、
前記第１ネットワークデバイスが前記第２ネットワークデバイスにより送信された前記基準信号の構成パラメータを受信することと、
前記第１ネットワークデバイスが前記端末デバイスに前記構成パラメータを送信することとを含み、
前記要求メッセージは、前記第２ネットワークデバイスが前記端末デバイスのために基準信号を構成するように要求するために用いられる
ことを特徴とする請求項１〜１２のいずれか１項に記載のリンク管理のための方法。
【請求項１４】
前記第１ネットワークデバイスが第２ネットワークデバイスにより送信された第１リンク品質パラメータを受信する前、前記方法は、さらに、
前記第１ネットワークデバイスが前記第２ネットワークデバイスに前記端末デバイスの基準信号の構成パラメータを送信することを含む
ことを特徴とする請求項１〜１２のいずれか１項に記載のリンク管理のための方法。
【請求項１５】
前記構成パラメータは、前記基準信号の送信が占用するリソース位置、信号コードワード、ビーム情報、ネットワーク伝送ポイント、及び前記基準信号の送信に使用する送信電力のうちの少なくとも１つを含む
ことを特徴とする請求項１３又は１４に記載のリンク管理のための方法。
【請求項１６】
リンク管理のための方法であって、
第２ネットワークデバイスが第１リンク品質パラメータを確定することと、
前記第２ネットワークデバイスが第１ネットワークデバイスに前記第１リンク品質パラメータを送信することとを含み、
前記第１リンク品質パラメータは、端末デバイスと前記第２ネットワークデバイスとの間のリンク品質を示すために用いられ、
前記第１ネットワークデバイスが前記端末デバイスに現在のサービスを提供する
ことを特徴とするリンク管理のための方法。
【請求項１７】
前記第２ネットワークデバイスが第１ネットワークデバイスに第１リンク品質パラメータを送信することは、
前記第２ネットワークデバイスが前記第１ネットワークデバイスに前記第１リンク品質パラメータを周期的に送信することを含む
ことを特徴とする請求項１６に記載のリンク管理のための方法。
【請求項１８】
前記第２ネットワークデバイスが第１ネットワークデバイスに第１リンク品質パラメータを送信する前に、前記方法は、さらに、
前記第２ネットワークデバイスが前記端末デバイスと前記第２ネットワークデバイスとの間に接続が存在するかどうかを確定することを含み、
前記第２ネットワークデバイスが第１ネットワークデバイスに第１リンク品質パラメータを送信することは、
前記端末デバイスと前記第２ネットワークデバイスとの間に接続が存在しなく、前記第１リンク品質パラメータが第６閾値より大きい場合、前記第２ネットワークデバイスが前記第１ネットワークデバイスに前記第１リンク品質パラメータを送信することを含む
ことを特徴とする請求項１６に記載のリンク管理のための方法。
【請求項１９】
前記第２ネットワークデバイスが前記第１ネットワークデバイスに前記第１リンク品質パラメータを送信することは、
第１時間帯において前記第１リンク品質パラメータがずっと前記第６閾値より大きい場合、前記第２ネットワークデバイスが前記第１ネットワークデバイスに前記第１リンク品質パラメータを送信することを含む
ことを特徴とする請求項１８に記載のリンク管理のための方法。
【請求項２０】
前記方法は、さらに、
前記端末デバイスと前記第２ネットワークデバイスとの間に接続が存在し、前記第１リンク品質パラメータが第７閾値より小さい場合、前記第２ネットワークデバイスが前記第１ネットワークデバイスに前記第１リンク品質パラメータを送信することを含む
ことを特徴とする請求項１８又は１９に記載のリンク管理のための方法。
【請求項２１】
前記第２ネットワークデバイスが前記第１ネットワークデバイスに前記第１リンク品質パラメータを送信することは、
第２時間帯において前記第１リンク品質パラメータがずっと前記第７閾値より小さい場合、前記第２ネットワークデバイスが前記第１ネットワークデバイスに前記第１リンク品質パラメータを送信することを含む
ことを特徴とする請求項２０に記載のリンク管理のための方法。
【請求項２２】
前記第１リンク品質パラメータは、前記端末デバイスと前記第２ネットワークデバイスとの間の信号受信強度、信号受信品質、リンクパスロスのうちの少なくとも１つを含む
ことを特徴とする請求項１６〜２１のいずれか１項に記載のリンク管理のための方法。
【請求項２３】
前記第２ネットワークデバイスが第１ネットワークデバイスに第１リンク品質パラメータを送信する前に、前記方法は、さらに、
前記第２ネットワークデバイスが前記第１ネットワークデバイスにより送信された測定構成情報を受信することを含み、前記測定構成情報は、前記第２ネットワークデバイスが前記端末デバイスと前記第２ネットワークデバイスとの間のリンク品質を測定するように指示するために用いられ、
前記第２ネットワークデバイスが第１ネットワークデバイスに第１リンク品質パラメータを送信することは、
前記第２ネットワークデバイスが前記測定構成情報に基づいて前記第１ネットワークデバイスに測定結果を送信することを含み、
前記測定結果には、測定されたビーム、セル、ネットワーク伝送ポイント、周波数ポイント情報のうちの少なくとも１つの前記第１リンク品質パラメータ及び前記端末デバイスのアップリンク送信時間基準情報のうちの少なくとも１つが含まれる
ことを特徴とする請求項１６〜２２のいずれか１項に記載のリンク管理のための方法。
【請求項２４】
前記測定構成情報は、測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、
前記送信時間基準情報は、前記端末デバイスのデータ送信時間を示すために用いられる
ことを特徴とする請求項２３に記載のリンク管理のための方法。
【請求項２５】
前記第２ネットワークデバイスが第１ネットワークデバイスに第１リンク品質パラメータを送信する前に、前記方法は、さらに、
前記第２ネットワークデバイスが前記第１ネットワークデバイスにより送信された要求メッセージを受信することと、
前記第２ネットワークデバイスが前記要求メッセージに基づいて前記端末デバイスの基準信号の構成パラメータを確定することと、
前記第２ネットワークデバイスが前記第１ネットワークデバイスに前記構成パラメータを送信することとを含み、
前記要求メッセージは、前記第２ネットワークデバイスが前記端末デバイスのために基準信号を構成するように要求するために用いられる
ことを特徴とする請求項１６〜２４のいずれか１項に記載のリンク管理のための方法。
【請求項２６】
前記第２ネットワークデバイスが第１ネットワークデバイスに第１リンク品質パラメータを送信する前に、前記方法は、さらに、
前記第２ネットワークデバイスが前記第１ネットワークデバイスにより送信された前記端末デバイスの基準信号の構成パラメータを受信することを含む
ことを特徴とする請求項１６〜２４のいずれか１項に記載のリンク管理のための方法。
【請求項２７】
前記構成パラメータは、前記基準信号の送信が占用するリソース位置、信号コードワード、ビーム情報、ネットワーク伝送ポイント情報、及び前記基準信号の送信に使用する送信電力のうちの少なくとも１つを含む
ことを特徴とする請求項２５又は２６に記載のリンク管理のための方法。
【請求項２８】
リンク管理のための装置であって、
第２ネットワークデバイスにより送信された第１リンク品質パラメータを受信するように構成される取得ユニットと、
前記取得ユニットにより取得された前記第１リンク品質パラメータに基づいて、前記端末デバイスと前記第２ネットワークデバイスとの間の接続を要するかどうかを確定するように構成される確定ユニットとを含み、
前記第１リンク品質パラメータは、端末デバイスと第２ネットワークデバイスとの間のリンク品質を示すために用いられ、
前記装置が前記端末デバイスに現在のサービスを提供する
ことを特徴とするリンク管理のための装置。
【請求項２９】
前記取得ユニットは、さらに、
前記第１リンク品質パラメータに基づいて、前記端末デバイスと前記第２ネットワークデバイスとの間の接続を要するかどうかを確定する前に、第２リンク品質パラメータを取得するように構成され、前記第２リンク品質パラメータは、前記端末デバイスと前記装置との間のリンク品質を示すために用いられ、
前記確定ユニットは、具体的に、
前記第１リンク品質パラメータ及び前記第２リンク品質パラメータに基づいて、前記端末デバイスと前記第２ネットワークデバイスとの間の接続を要するかどうかを確定するように構成される
ことを特徴とする請求項２８に記載のリンク管理のための装置。
【請求項３０】
前記確定ユニットは、具体的に、
前記第１リンク品質パラメータが第１閾値より大きく、且つ前記第２リンク品質パラメータが第２閾値より小さい場合、前記端末デバイスと前記第２ネットワークデバイスとの間の接続を要すると確定するように構成される
ことを特徴とする請求項２９に記載のリンク管理のための装置。
【請求項３１】
前記確定ユニットは、具体的に、
前記第１リンク品質パラメータが前記第２リンク品質パラメータと第３閾値との和より大きい場合、前記端末デバイスと前記第２ネットワークデバイスとの間の接続を要すると確定するように構成される
ことを特徴とする請求項２９に記載のリンク管理のための装置。
【請求項３２】
前記確定ユニットは、具体的に、
前記第１リンク品質パラメータが第４閾値より小さく、且つ前記第２リンク品質パラメータが第５閾値より大きい場合、前記端末デバイスと前記第２ネットワークデバイスとの間の接続を要しないと確定するように構成される
ことを特徴とする請求項２９に記載のリンク管理のための装置。
【請求項３３】
前記装置は、さらに、確立ユニットを含み、
前記確立ユニットは、前記端末デバイスと前記第２ネットワークデバイスとの間の接続を要するかどうかを確定した後、前記端末デバイスと前記第２ネットワークデバイスとの間の接続を要すると確定し、且つ前記端末デバイスと前記第２ネットワークデバイスとの間の接続が存在しない場合、前記端末デバイスと前記第２ネットワークデバイスとの間の接続を確立するように構成される
ことを特徴とする請求項２８〜３２のいずれか１項に記載のリンク管理のための装置。
【請求項３４】
前記確立ユニットは、具体的に、
前記第１リンク品質パラメータに基づいて、前記端末デバイスと前記第２ネットワークデバイスとの間の接続を前記端末デバイスのリンク補助接続として追加するように構成される
ことを特徴とする請求項３３に記載のリンク管理のための装置。
【請求項３５】
前記確立ユニットは、具体的に、
前記第１リンク品質パラメータに基づいて、前記端末デバイスのリンクを前記第２ネットワークデバイスに切り替えるように構成される
ことを特徴とする請求項３３に記載のリンク管理のための装置。
【請求項３６】
前記装置は、さらに、削除ユニットを含み、
前記削除ユニットは、前記端末デバイスと前記第２ネットワークデバイスとの間の接続を要するかどうかを確定した後、前記端末デバイスと前記第２ネットワークデバイスとの間の接続を要しないと確定し、且つ前記端末デバイスと前記第２ネットワークデバイスとの間の接続が存在している場合、前記端末デバイスと前記第２ネットワークデバイスとの間の接続を削除するように構成される
ことを特徴とする請求項２８〜３５のいずれか１項に記載のリンク管理のための装置。
【請求項３７】
前記第１リンク品質パラメータは、前記端末デバイスと前記第２ネットワークデバイスとの間の信号受信強度、信号受信品質、リンクパスロスのうちの少なくとも１つを含む
ことを特徴とする請求項２８〜３６のいずれか１項に記載のリンク管理のための装置。
【請求項３８】
前記装置は、さらに、第１送信ユニットを含み、
前記第１送信ユニットは、前記第２ネットワークデバイスにより送信された第１リンク品質パラメータを受信する前に、前記第２ネットワークデバイスに測定構成情報を送信するように構成され、前記測定構成情報は、前記第２ネットワークデバイスが前記端末デバイスと前記第２ネットワークデバイスとの間のリンク品質を測定するように指示するために用いられ、
前記取得ユニットは、具体的に、
前記第２ネットワークデバイスが前記測定構成情報により送信された測定結果を受信するように構成され、前記測定結果には、測定されたビーム、ネットワーク伝送ポイント、セル、周波数ポイント情報のうちの少なくとも１つ、前記第１リンク品質パラメータ、及び/又は前記端末デバイスのアップリンク送信時間基準情報が含まれる
ことを特徴とする請求項２８〜３７のいずれか１項に記載のリンク管理のための装置。
【請求項３９】
前記測定構成情報は、測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、
前記送信時間基準情報は、前記端末デバイスのデータ送信時間を示すために用いられる
ことを特徴とする請求項３８に記載のリンク管理のための装置。
【請求項４０】
前記装置は、さらに、第２送信ユニットを含み、
前記第２送信ユニットは、前記第２ネットワークデバイスにより送信された第１リンク品質パラメータを受信する前に、前記第２ネットワークデバイスに要求メッセージを送信するように構成され、
前記要求メッセージは、前記第２ネットワークデバイスが前記端末デバイスのために基準信号を構成するように要求するために用いられ、
前記取得ユニットは、さらに、
前記第２ネットワークデバイスにより送信された前記基準信号の構成パラメータを受信するように構成され、
前記第２送信ユニットは、さらに、
前記端末デバイスに前記構成パラメータを送信するように構成される
ことを特徴とする請求項２８〜３９のいずれか１項に記載のリンク管理のための装置。
【請求項４１】
前記装置は、さらに、
前記第２ネットワークデバイスにより送信された第１リンク品質パラメータを受信する前に、前記第２ネットワークデバイスに前記端末デバイスの基準信号の構成パラメータを送信するように構成される
ことを特徴とする請求項２８〜４０のいずれか１項に記載のリンク管理のための装置。
【請求項４２】
前記構成パラメータは、前記基準信号の送信が占用するリソース位置、信号コードワード、ビーム情報、ネットワーク伝送ポイント、及び前記基準信号の送信に使用する送信電力のうちの少なくとも１つを含む
ことを特徴とする請求項４０又は４１に記載のリンク管理のための装置。
【請求項４３】
リンク管理のための装置であって、
第１リンク品質パラメータを確定するように構成される確定ユニットと、
第１ネットワークデバイスに前記第１リンク品質パラメータを送信するように構成される送信ユニットとを含み、
前記第１リンク品質パラメータは、端末デバイスと前記装置との間のリンク品質を示すために用いられ、
前記第１ネットワークデバイスが前記端末デバイスに現在のサービスを提供する
ことを特徴とするリンク管理のための装置。
【請求項４４】
前記送信ユニットは、具体的に、
前記第１ネットワークデバイスに前記第１リンク品質パラメータを周期的に送信するように構成される
ことを特徴とする請求項４３に記載のリンク管理のための装置。
【請求項４５】
前記確定ユニットは、さらに、
前記第１ネットワークデバイスに第１リンク品質パラメータを送信する前に、前記端末デバイスと前記装置との間に接続が存在するかどうかを確定するように構成され、
前記送信ユニットは、具体的に、
前記端末デバイスと前記装置との間に前記接続が存在しなく、前記第１リンク品質パラメータが第６閾値より大きい場合、前記第１ネットワークデバイスに前記第１リンク品質パラメータを送信するように構成される
ことを特徴とする請求項４３に記載のリンク管理のための装置。
【請求項４６】
前記送信ユニットは、さらに、
第１時間帯において前記第１リンク品質パラメータがずっと前記第６閾値より大きい場合、前記第１ネットワークデバイスに前記第１リンク品質パラメータを送信するように構成される
ことを特徴とする請求項４５に記載のリンク管理のための装置。
【請求項４７】
前記送信ユニットは、さらに、
前記端末デバイスと前記装置との間に前記接続が存在し、前記第１リンク品質パラメータが第７閾値より小さい場合、前記第１ネットワークデバイスに前記第１リンク品質パラメータを送信するように構成される
ことを特徴とする請求項４５又は４６に記載のリンク管理のための装置。
【請求項４８】
前記送信ユニットは、具体的に、
第２時間帯において前記第１リンク品質パラメータがずっと前記第７閾値より小さい場合、前記第１ネットワークデバイスに前記第１リンク品質パラメータを送信するように構成される
ことを特徴とする請求項４７に記載のリンク管理のための装置。
【請求項４９】
前記第１リンク品質パラメータは、前記端末デバイスと前記装置との間の信号受信強度、信号受信品質、リンクパスロスのうちの少なくとも１つを含む
ことを特徴とする請求項４３〜４８のいずれか１項に記載のリンク管理のための装置。
【請求項５０】
前記装置は、さらに、第１受信ユニットを含み
前記第１受信ユニットは、前記向第１ネットワークデバイスが第１リンク品質パラメータを送信する前に、前記第１ネットワークデバイスにより送信された測定構成情報を受信するように構成され、前記測定構成情報は、前記装置が前記端末デバイスと前記装置との間のリンク品質を測定するように指示するために用いられ、
前記送信ユニットは、具体的に、
前記測定構成情報に基づいて前記第１ネットワークデバイスに測定結果を送信するように構成され、
前記測定結果には、測定されたビーム、ネットワーク伝送ポイント、セル、周波数ポイント情報のうちの少なくとも１つ、前記第１リンク品質パラメータ及び前記端末デバイスの送信時間基準情報を示すための指示要求情報が含まれ、
前記送信時間基準情報は、前記端末デバイスのデータ送信時間を示すために用いられる
ことを特徴とする請求項４３〜４９のいずれか１項に記載のリンク管理のための装置。
【請求項５１】
前記測定構成情報は、測定されたビーム、ネットワーク伝送ポイント、セル、周波数ポイント情報、測定量情報、測定結果報告条件、測定時間トリガ量、測定結果報告量、測定結果報告時間間隔及び前記端末デバイスのアップリンク送信時間基準情報の単独要求指示情報のうちの少なくとも１つを含む
ことを特徴とする請求項５０に記載のリンク管理のための装置。
【請求項５２】
前記装置は、さらに、第２受信ユニットを含み、
前記第２受信ユニットは、前記第１ネットワークデバイスに第１リンク品質パラメータを送信する前に、前記第１ネットワークデバイスにより送信された要求メッセージを受信するように構成され、前記要求メッセージは、前記装置が前記端末デバイスのために基準信号を構成するように要求するために用いられ、
前記確定ユニットは、さらに、
前記要求メッセージに基づいて前記端末デバイスの基準信号の構成パラメータを確定するように構成され、
前記送信ユニットは、さらに、
前記第１ネットワークデバイスに前記構成パラメータを送信するように構成される
ことを特徴とする請求項４３〜５１のいずれか１項に記載のリンク管理のための装置。
【請求項５３】
前記装置は、さらに、第３受信ユニットを含み、
前記第３受信ユニットは、前記第１ネットワークデバイスに第１リンク品質パラメータを送信する前に、前記第１ネットワークデバイスにより送信された前記端末デバイスの基準信号の構成パラメータを受信するように構成される
ことを特徴とする請求項４３〜５１のいずれか１項に記載のリンク管理のための装置。
【請求項５４】
前記構成パラメータは、
前記基準信号の送信が占用するリソース位置、信号コードワード、ビーム情報、ネットワーク伝送ポイント、及び前記基準信号の送信に使用する送信電力のうちの少なくとも１つを含む
ことを特徴とする請求項５２又は５３に記載のリンク管理のための装置。
【発明の詳細な説明】
【技術分野】
【０００１】
本発明は通信分野に関し、具体的に、通信分野においてリンク管理のための方法及び装置に関する。
【背景技術】
【０００２】
従来の無線通信システムにおいて、端末デバイスは、接続状態で移動する場合、それに現在のサービスを提供する元ネットワークデバイスの構成に応じて信号測定を行い、元ネットワークデバイスが要求する条件に応じて測定報告を行う必要がある。元ネットワークデバイスは、当該端末デバイスからの測定報告の結果を取得した後、当該測定報告の結果に基づいて、当該端末デバイスがハンドオーバを行う必要があるかどうかを判断する。ハンドオーバを行う必要がある場合、元ネットワークデバイスがターゲットネットワークデバイスにハンドオーバ要求メッセージを送信し、ターゲットネットワークデバイスが当該ハンドオーバ要求メッセージを受信した後、当該端末デバイスが使用する必要があるランダムアクセスリソースなどのハンドオーバ必要リソースを元ネットワークデバイスを介して当該端末デバイスに送信する。当該端末デバイスは、対応する構成メッセージを受信した後、ターゲットネットワークデバイスとの同期を確立し、ハンドオーバを完了する。
【０００３】
上記の方法は、端末デバイスと元ネットワークデバイスとの間の信号品質のみを考え、且つ信号測定を行ってから端末デバイスが測定結果を報告する必要があるため、端末デバイスのシグナリングオーバーヘッドが無駄になる。
【発明の概要】
【０００４】
本開示の実施例は、端末デバイスとネットワークデバイスとの間のリンクを正しく管理し、端末デバイスのシグナリングオーバーヘッドを節約させることができるリンク管理のための方法及び装置を提供することができる。
【０００５】
第１形態は、リンク管理のための方法を提供し、第１ネットワークデバイスが第２ネットワークデバイスにより送信された第１リンク品質パラメータを受信することと、前記第１ネットワークデバイスが前記第１リンク品質パラメータに基づいて前記端末デバイスと前記第２ネットワークデバイスとの間の接続を要するかどうかを確定することとを含み、前記第１リンク品質パラメータは、端末デバイスと第２ネットワークデバイスとの間のリンク品質を示すために用いられ、前記第１ネットワークデバイスが前記端末デバイスに現在のサービスを提供する。
【０００６】
具体的に、当該第２ネットワークデバイスが当該端末デバイスと当該第２ネットワークデバイスとの間の接続を測定し、当該端末デバイスと当該第２ネットワークデバイスとの間の第１リンク品質パラメータを確定してから、当該第１リンク品質パラメータを当該第１ネットワークデバイスに送信することができる。なお、当該第２ネットワークデバイスが第１ネットワークデバイスとのインターフェースを介して当該第１リンク品質パラメータを送信してもよく、本開示の実施例はこれを限定しない。
【０００７】
そして、本開示の実施例におけるリンク管理のための方法によれば、第１ネットワークデバイスが第２ネットワークデバイスにより送信された端末デバイスと第２ネットワークデバイスとの間の第１リンク品質パラメータを受信し、当該第１リンク品質パラメータに基づいて当該端末デバイスと当該第２ネットワークデバイスとの間の接続を要するかどうかを確定することで、当該端末デバイスへのリンクを正しく管理し、端末デバイスのシグナリングオーバーヘッドを節約させることができ、ユーザーの体験を向上させることができる。
【０００８】
第１形態の第１実現可能な形態において、前記第１ネットワークデバイスが前記第１リンク品質パラメータに基づいて前記端末デバイスと前記第２ネットワークデバイスとの間の接続を要するかどうかを確定する前に、前記方法は、さらに、前記第１ネットワークデバイスが第２リンク品質パラメータを取得することを含み、前記第２リンク品質パラメータは、前記端末デバイスと前記第１ネットワークデバイスとの間のリンク品質を示すために用いられ、前記第１ネットワークデバイスが前記第１リンク品質パラメータに基づいて前記端末デバイスと前記第２ネットワークデバイスとの間の接続を要するかどうかを確定することは、前記第１ネットワークデバイスが前記第１リンク品質パラメータ及び前記第２リンク品質パラメータに基づいて、前記端末デバイスと前記第２ネットワークデバイスとの間の接続を要するかどうかを確定することを含む。
【０００９】
具体的に、当該第１ネットワークデバイスは、当該端末デバイスと第２ネットワークデバイスとの間のリンク品質パラメータ（即ち第１リンク品質パラメータ）とともに当該端末デバイスと当該第１ネットワークデバイスとの間のリンク品質パラメータ（即ち第２リンク品質パラメータ）を取得し、当該第１リンク品質パラメータ及び当該第２リンク品質パラメータを総合して考えて、当該端末デバイスと当該第２ネットワークデバイスとの間の接続を要するかどうかを確定することができる。
【００１０】
第１形態の上記の実現可能な形態を結合し、第１形態の第２実現可能な形態において、前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、前記第１リンク品質パラメータが第１閾値より大きく、且つ前記第２リンク品質パラメータが第２閾値より小さい場合、前記第１ネットワークデバイスが前記端末デバイスと前記第２ネットワークデバイスとの間の接続を要すると確定することを含む。
【００１１】
第１形態の上記の実現可能な形態を結合し、第１形態の第３実現可能な形態において、前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、前記第１リンク品質パラメータが前記第２リンク品質パラメータと第３閾値との和より大きい場合、前記第１ネットワークデバイスが前記端末デバイスと前記第２ネットワークデバイスとの間の接続を要すると確定することを含む。
【００１２】
第１形態の上記の実現可能な形態を結合し、第１形態の第４実現可能な形態において、前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、前記第１リンク品質パラメータが第４閾値より小さく、且つ前記第２リンク品質パラメータが第５閾値より大きい場合、前記第１ネットワークデバイスが前記端末デバイスと前記第２ネットワークデバイスとの間の接続を要しないと確定することを含む。
【００１３】
選択可能で、前記第１リンク品質パラメータが第４閾値より小さい場合、前記第１ネットワークデバイスが前記端末デバイスと前記第２ネットワークデバイスとの間の接続を要しないと確定する。
【００１４】
選択可能で、前記第２リンク品質パラメータが第５閾値より大きい場合、前記第１ネットワークデバイスが前記端末デバイスと前記第２ネットワークデバイスとの間の接続を要しないと確定する。
【００１５】
第１形態の上記の実現可能な形態を結合し、第１形態の第５実現可能な形態において、前記端末デバイスと前記第２ネットワークデバイスとの間の接続を要するかどうかを確定した後、前記方法は、さらに、前記端末デバイスと前記第２ネットワークデバイスとの間の接続を要すると確定し、且つ前記端末デバイスと前記第２ネットワークデバイスとの間の接続が存在しない場合、前記第１ネットワークデバイスが前記端末デバイスと前記第２ネットワークデバイスとの間の接続を確立することを含む。
【００１６】
選択可能で、当該第１ネットワークデバイスが当該端末デバイスと当該第２ネットワークデバイスとの間の接続を要すると確定し、且つ当該端末デバイスと当該第２ネットワークデバイスとの間の接続が存在している場合、当該第１ネットワークデバイスが何も操作しなくてもよく、本開示の実施例はこれを限定しない。
【００１７】
第１形態の上記の実現可能な形態を結合し、第１形態の第６実現可能な形態において、前記第１ネットワークデバイスが前記端末デバイスと前記第２ネットワークデバイスとの間の接続を確立することは、前記第１ネットワークデバイスが前記第１リンク品質パラメータに基づいて、前記端末デバイスと前記第２ネットワークデバイスとの間の接続を前記端末デバイスのリンク補助接続として追加することを含む。
【００１８】
具体的に、当該第１ネットワークデバイスが当該端末デバイスと当該第２ネットワークデバイスとの間の接続を当該端末デバイスのリンク補助接続として設定し、当該第１ネットワークデバイスが依然として当該第２ネットワークデバイスの主の接続として当該端末デバイスにサービスを提供する。
【００１９】
第１形態の上記の実現可能な形態を結合し、第１形態の第７実現可能な形態において、前記第１ネットワークデバイスが前記端末デバイスと前記第２ネットワークデバイスとの間の接続を確立することは、前記第１ネットワークデバイスが前記第１リンク品質パラメータに基づいて、前記端末デバイスのリンクを前記第２ネットワークデバイスに切り替えることを含む。
【００２０】
具体的に、当該第１ネットワークデバイスが当該端末デバイスへのリンクを当該第２ネットワークデバイスに直接切り替え、当該第２ネットワークデバイスが当該端末デバイスにサービスを提供してもよい。
【００２１】
第１形態の上記の実現可能な形態を結合し、第１形態の第８実現可能な形態において、前記端末デバイスと前記第２ネットワークデバイスとの間の接続を要するかどうかを確定した後、前記方法は、さらに、前記端末デバイスと前記第２ネットワークデバイスとの間の接続を要しないと確定し、且つ前記端末デバイスと前記第２ネットワークデバイスとの間の接続が存在している場合、前記第１ネットワークデバイスが前記端末デバイスと前記第２ネットワークデバイスとの間の接続を削除することを含む。
【００２２】
なお、第１ネットワークデバイスが当該端末デバイスに現在のサービスを提供し、当該端末デバイスと当該第２ネットワークデバイスとの間の接続も存在している場合、当該接続が当該端末デバイスのリンク補助接続であることは当然である。当該第１ネットワークデバイスが当該端末デバイスと当該第２ネットワークデバイスとの間の接続を削除した後、当該端末デバイスの接続がダブル接続からシングル接続に変更され、当該第１ネットワークデバイスのみにより当該端末デバイスにサービスを提供する。
【００２３】
選択可能で、当該第１ネットワークデバイスが当該端末デバイスと当該第２ネットワークデバイスとの間の接続を要しないと確定し、且つ現在に当該端末デバイスと当該第２ネットワークデバイスとの間の接続が存在しない場合、当該第１ネットワークデバイスが何も操作しなくてもよく、本開示の実施例はこれを限定しない。
【００２４】
第１形態の上記の実現可能な形態を結合し、第１形態の第９実現可能な形態において、前記第１リンク品質パラメータは、前記端末デバイスと前記第２ネットワークデバイスとの間の信号受信強度、信号受信品質、リンクパスロスのうちの少なくとも１つを含む。
【００２５】
第１形態の上記の実現可能な形態を結合し、第１形態の第１０実現可能な形態において、前記第１ネットワークデバイスが第２ネットワークデバイスにより送信された第１リンク品質パラメータを受信する前、前記方法は、さらに、前記第１ネットワークデバイスが前記第２ネットワークデバイスに測定構成情報を送信することを含み、前記測定構成情報は、前記第２ネットワークデバイスが前記端末デバイスと前記第２ネットワークデバイスとの間のリンク品質を測定するように指示するために用いられ、前記第１ネットワークデバイスが第２ネットワークデバイスにより送信された第１リンク品質パラメータを受信することは、前記第１ネットワークデバイスが前記第２ネットワークデバイスの前記測定構成情報に基づいて送信した測定結果を受信することを含み、前記測定結果には、測定されたビーム、セル、ネットワーク伝送ポイント、周波数ポイント情報のうちの少なくとも１つの前記第１リンク品質パラメータ及び前記端末デバイスの送信時間基準情報が含まれる。
【００２６】
なお、前記第１リンク品質情報は、測定されたビーム、ネットワーク伝送ポイント、セル及び周波数ポイントに対応するリンク品質情報を指す。
【００２７】
第１形態の上記の実現可能な形態を結合し、第１形態の第１１実現可能な形態において、前記測定構成情報は、測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、当該送信時間基準情報は、当該端末デバイスのデータ送信時間を示すために用いられる。
【００２８】
さらに、端末デバイスの送信時間基準情報は、送信時間のアドバンス量情報であってもよい。
【００２９】
なお、端末デバイスの送信時間基準情報は、端末の対応するネットワークデバイスのリンク上の送信時間基準情報を指す。
【００３０】
なお、当該第１ネットワークデバイスが取得した第１リンク品質パラメータは、第２ネットワークデバイスが当該端末デバイスと当該第２ネットワークデバイスとの間のリンク品質を測定して得られたのもであってもよい。当該第２ネットワークデバイスが基準信号により当該端末デバイスと当該第２ネットワークデバイスとの間のリンク品質を測定することができる。当該基準信号の関連パラメータは、第２ネットワークデバイスにより構成されてもよいし、当該第１ネットワークデバイスにより構成されてもよく、本開示の実施例はこれを限定しない。
【００３１】
第１形態の上記の実現可能な形態を結合し、第１形態の第１２実現可能な形態において、前記第１ネットワークデバイスが第２ネットワークデバイスにより送信された第１リンク品質パラメータを受信する前、前記方法は、さらに、前記第１ネットワークデバイスが前記第２ネットワークデバイスに要求メッセージを送信することと、前記第１ネットワークデバイスが前記第２ネットワークデバイスにより送信された前記基準信号の構成パラメータを受信することと、前記第１ネットワークデバイスが前記端末デバイスに前記構成パラメータを送信することとを含み、前記要求メッセージは、前記第２ネットワークデバイスが前記端末デバイスのために基準信号を構成するように要求するために用いられる。
【００３２】
第１形態の上記の実現可能な形態を結合し、第１形態の第１３実現可能な形態において、前記第１ネットワークデバイスが第２ネットワークデバイスにより送信された第１リンク品質パラメータを受信する前、前記方法は、さらに、前記第１ネットワークデバイスが前記第２ネットワークデバイスに前記端末デバイスの基準信号の構成パラメータを送信することを含む。
【００３３】
第１形態の上記の実現可能な形態を結合し、第１形態の第１４実現可能な形態において、前記構成パラメータは、前記基準信号の送信が占用するリソース位置、信号コードワード、ビーム情報、ネットワーク伝送ポイント、及び前記基準信号の送信に使用する送信電力のうちの少なくとも１つを含む。
【００３４】
第２形態は、リンク管理のための方法を提供し、第２ネットワークデバイスが第１リンク品質パラメータを確定することと、前記第２ネットワークデバイスが第１ネットワークデバイスに前記第１リンク品質パラメータを送信することとを含み、前記第１リンク品質パラメータは、端末デバイスと前記第２ネットワークデバイスとの間のリンク品質を示すために用いられ、前記第１ネットワークデバイスが前記端末デバイスに現在のサービスを提供する。
【００３５】
そして、本開示の実施例におけるリンク管理のための方法によれば、第２ネットワークデバイスが端末デバイスと当該第２ネットワークデバイスとの間の第１リンク品質パラメータを確定し、当該第１リンク品質パラメータを当該端末デバイスのために現在のサービスを提供する第１ネットワークデバイスに送信することで、当該第１ネットワークデバイスが当該端末デバイスのリンクを正しく管理し、端末デバイスのシグナリングオーバーヘッドを節約させることができ、ユーザーの体験を向上させることができる。
【００３６】
第２形態の第１実現可能な形態において、前記第２ネットワークデバイスが第１ネットワークデバイスに第１リンク品質パラメータを送信することは、前記第２ネットワークデバイスが前記第１ネットワークデバイスに前記第１リンク品質パラメータを周期的に送信することを含む。
【００３７】
第２形態の上記の実現可能な形態を結合し、第２形態の第２実現可能な形態において、前記第２ネットワークデバイスが第１ネットワークデバイスに第１リンク品質パラメータを送信する前に、前記方法は、さらに、前記第２ネットワークデバイスが前記端末デバイスと前記第２ネットワークデバイスとの間に接続が存在するかどうかを確定することを含み、前記第２ネットワークデバイスが第１ネットワークデバイスに第１リンク品質パラメータを送信することは、前記端末デバイスと前記第２ネットワークデバイスとの間に前記接続を存在しなく、前記第１リンク品質パラメータが第６閾値より大きい場合、前記第２ネットワークデバイスが前記第１ネットワークデバイスに前記第１リンク品質パラメータを送信することを含む。
【００３８】
第２形態の上記の実現可能な形態を結合し、第２形態の第３実現可能な形態において、前記第２ネットワークデバイスが前記第１ネットワークデバイスに前記第１リンク品質パラメータを送信することは、第１時間帯において前記第１リンク品質パラメータがずっと前記第６閾値より大きい場合、前記第２ネットワークデバイスが前記第１ネットワークデバイスに前記第１リンク品質パラメータを送信することを含む。
【００３９】
第２形態の上記の実現可能な形態を結合し、第２形態の第４実現可能な形態において、前記方法は、さらに、前記端末デバイスと前記第２ネットワークデバイスとの間に前記接続が存在し、前記第１リンク品質パラメータが第７閾値より小さい場合、前記第２ネットワークデバイスが前記第１ネットワークデバイスに前記第１リンク品質パラメータを送信することを含む。
【００４０】
第２形態の上記の実現可能な形態を結合し、第２形態の第５実現可能な形態において、前記第２ネットワークデバイスが前記第１ネットワークデバイスに前記第１リンク品質パラメータを送信することは、第２時間帯において前記第１リンク品質パラメータがずっと前記第７閾値より小さい場合、前記第２ネットワークデバイスが前記第１ネットワークデバイスに前記第１リンク品質パラメータを送信することを含む。
【００４１】
第２形態の上記の実現可能な形態を結合し、第２形態の第６実現可能な形態において、前記第１リンク品質パラメータは、前記端末デバイスと前記第２ネットワークデバイスとの間の信号受信強度、信号受信品質、リンクパスロスのうちの少なくとも１つを含む。
【００４２】
第２形態の上記の実現可能な形態を結合し、第２形態の第７実現可能な形態において、前記第２ネットワークデバイスが第１ネットワークデバイスに第１リンク品質パラメータを送信する前に、前記方法は、さらに、前記第２ネットワークデバイスが前記第１ネットワークデバイスにより送信された測定構成情報を受信することを含み、前記測定構成情報は、前記第２ネットワークデバイスが前記端末デバイスと前記第２ネットワークデバイスとの間のリンク品質を測定するように指示するために用いられ、前記第２ネットワークデバイスが第１ネットワークデバイスに第１リンク品質パラメータを送信することは、前記第２ネットワークデバイスが前記測定構成情報に基づいて前記第１ネットワークデバイスに測定結果を送信することを含み、前記測定結果には、測定されたビーム、セル、ネットワーク伝送ポイント、周波数ポイント情報のうちの少なくとも１つの前記第１リンク品質パラメータ及び前記端末デバイスの送信時間基準情報が含まれる。
【００４３】
なお、前記第１リンク品質情報は、測定されたビーム、ネットワーク伝送ポイント、セル及び周波数ポイントに対応するリンク品質情報を指す。
【００４４】
第２形態の上記の実現可能な形態を結合し、第２形態の第８実現可能な形態において、前記測定構成情報は、
測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、当該送信時間基準情報は、当該端末デバイスのデータ送信時間を示すために用いられる。
【００４５】
さらに、端末デバイスの送信時間基準情報は、送信時間のアドバンス量情報であってもよい。
【００４６】
なお、端末デバイスの送信時間基準情報は、端末の対応するネットワークデバイスのリンク上の送信時間基準情報を指す。
【００４７】
第２形態の上記の実現可能な形態を結合し、第２形態の第９実現可能な形態において、前記第２ネットワークデバイスが第１ネットワークデバイスに第１リンク品質パラメータを送信する前に、前記方法は、さらに、前記第２ネットワークデバイスが前記第１ネットワークデバイスにより送信された要求メッセージを受信することと、前記第２ネットワークデバイスが前記要求メッセージに基づいて前記端末デバイスの基準信号の構成パラメータを確定することと、前記第２ネットワークデバイスが前記第１ネットワークデバイスに前記構成パラメータを送信することとを含み、前記要求メッセージは、前記第２ネットワークデバイスが前記端末デバイスのために基準信号を構成するように要求するために用いられる。
【００４８】
第２形態の上記の実現可能な形態を結合し、第２形態の第１０実現可能な形態において、前記第２ネットワークデバイスが第１ネットワークデバイスに第１リンク品質パラメータを送信する前に、前記方法は、さらに、前記第２ネットワークデバイスが前記第１ネットワークデバイスにより送信された前記端末デバイスの基準信号の構成パラメータを受信することを含む。
【００４９】
第２形態の上記の実現可能な形態を結合し、第２形態の第１１実現可能な形態において、前記構成パラメータは、前記基準信号の送信が占用するリソース位置、信号コードワード、ビーム情報、ネットワーク伝送ポイント情報、及び前記基準信号の送信に使用する送信電力のうちの少なくとも１つを含む。
【００５０】
第３形態は、上記の第１形態又は第１形態のいかなる実現可能な形態の方法を実行するように構成されるリンク管理のための装置を提供する。具体的に、当該装置は、上記の第１形態又は第１形態のいかなる実現可能な形態の方法を実行するように構成されるユニットを含む。
【００５１】
第４形態は、上記の第２形態又は第２形態のいかなる実現可能な形態の方法を実行するように構成されるリンク管理のための装置を提供する。具体的に、当該装置は、上記の第２形態又は第２形態のいかなる実現可能な形態の方法を実行するように構成されるユニットを含む。
【００５２】
第５形態は、リンク管理のための装置を提供し、当該装置は、送信機、受信機、メモリー、プロセッサ及びバスシステムを含む。ここで、送信機、受信機、メモリー、プロセッサがバスシステムにより接続され、当該メモリーが命令を記憶し、当該プロセッサが当該メモリーに記憶された命令を実行して、送信機及び受信機の送受信を制御し、当該命令が実行される場合、当該プロセッサは、第１形態又は第１形態のいかなる実現可能な形態の方法を実行する。
【００５３】
第６形態は、リンク管理のための装置を提供し、当該装置は、送信機、受信機、メモリー、プロセッサ及びバスシステムを含む。ここで、送信機、受信機、メモリー、プロセッサがバスシステムにより接続され、当該メモリーが命令を記憶し、当該プロセッサが当該メモリーに記憶された命令を実行して、送信機及び受信機の送受信を制御し、当該命令が実行される場合、当該プロセッサは、第２形態又は第２形態のいかなる実現可能な形態の方法を実行する。
【００５４】
第７形態は、リンク管理のためのシステムを提供し、当該システムが上記の第３形態又は第３形態のいかなる実現可能な形態の装置及び上記の第４形態又は第４形態のいかなる実現可能な形態の装置を含み、又は、
上記の第５形態又は第５形態のいかなる実現可能な形態の装置及び上記の第６形態又は第６形態のいかなる実現可能な形態の装置を含む。
【００５５】
第８形態は、コンピュータ可読記憶媒体を提供し、前記コンピュータ可読記憶媒体にはプログラムが記憶され、前記プログラムには第１形態又は第１形態のいかなる実現可能な方法を実現するための命令が含まれる。
【００５６】
第９形態は、コンピュータ可読記憶媒体を提供し、前記コンピュータ可読記憶媒体にはプログラムが記憶され、前記プログラムには第２形態又は第２形態のいかなる実現可能な方法を実現するための命令が含まれる。
【図面の簡単な説明】
【００５７】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本開示の実施例におけるリンク管理のための方法のフローチャートである。
【図２】本開示の実施例におけるリンク管理のための方法のフローチャートである。
【図３】本開示の実施例におけるリンク管理のための方法のフローチャートである。
【図４】本開示の実施例におけるリンク管理のための装置のブロック図である。
【図５】本開示の実施例におけるリンク管理のための装置のブロック図である。
【図６】本開示の実施例におけるリンク管理のためのシステムのブロック図である。
【図７】本開示の実施例におけるリンク管理のための装置のブロック図である。
【図８】本開示の実施例におけるリンク管理のための装置のブロック図である。
【発明を実施するための形態】
【００５８】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００５９】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイドインターオペラビリティフォーマイクロウェーブアクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の通信システムなどに応用されることができる。
【００６０】
なお、本発明の実施例において、端末デバイスがユーザー装置（ＵＥ：Ｕｓｅｒ  Ｅｑｕｉｐｍｅｎｔ）、端末デバイス、移動台（ＭＳ：Ｍｏｂｉｌｅ  Ｓｔａｔｉｏｎ）、移動端末（Ｍｏｂｉｌｅ  Ｔｅｒｍｉｎａｌ）又は未来の５Ｇネットワークにおける端末デバイス等であってもよく、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピュータであっても良いし、携帯型、ポケット型、ハンドヘルド型、コンピュータ内蔵又は車載の移動装置であってもよく、これらは無線アクセスネットワークと音声及び／又はデータを交換する。
【００６１】
本開示の実施例におけるネットワークデバイスは端末デバイスと通信するためのデバイスであっても良く、例えばＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム又はＣＤＭＡにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）であってよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）におけるワイヤレスコントローラであってもよく、又は該基地局は中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良い。
【００６２】
図１は本開示の実施例におけるリンク管理のための方法１００のフローチャートを示す。図１にリンク管理のための方法のステップや操作を示しているが、これらのステップや操作が例示的なものであり、本発明の実施例は、他の操作又は図１の各操作の変形を実行してもよく、当該方法１００は、Ｓ１１０及びＳ１２０を含む。
【００６３】
Ｓ１１０において、第１ネットワークデバイスが第２ネットワークデバイスにより送信された第１リンク品質パラメータを受信し、前記第１リンク品質パラメータは、端末デバイスと第２ネットワークデバイスとの間のリンク品質を示すために用いられ、ここで、前記第１ネットワークデバイスが前記端末デバイスに現在のサービスを提供する。
【００６４】
Ｓ１２０において、前記第１ネットワークデバイスが前記第１リンク品質パラメータに基づいて前記端末デバイスと前記第２ネットワークデバイスとの間の接続を要するかどうかを確定する。
【００６５】
具体的に、当該第１ネットワークデバイスが当該端末デバイスに現在のサービスを提供し、当該第２ネットワークデバイスが当該第１ネットワークデバイスに隣接し、当該第１ネットワークデバイスは、当該端末デバイスと当該第２ネットワークデバイスとの間のリンク品質パラメータ、即ち第１リンク品質パラメータに基づいて、当該端末デバイスと当該第２ネットワークデバイスとの間の接続を要するかどうか確定することで、当該端末デバイスのリンクを管理する。
【００６６】
そして、本開示の実施例におけるリンク管理のための方法によれば、第１ネットワークデバイスは、端末デバイスと第２ネットワークデバイスとの間の第１リンク品質パラメータを取得し、当該第１リンク品質パラメータに基づいて当該端末デバイスと当該第２ネットワークデバイスとの間の接続を要するかどうかを確定することで、当該端末デバイスのリンクを正しく管理し、端末デバイスのシグナリングオーバーヘッドを節約させることができ、ユーザーの体験を向上させることができる。
【００６７】
図２は本開示の実施例におけるリンク管理のための方法２００のフローチャートである。図２にリンク管理のための方法のステップや操作を示しているが、これらのステップや操作が例示的なものであり、本発明の実施例は、他の操作又は図２の各操作の変形を実行してもよく、当該方法２００は、Ｓ２１０及びＳ２２０を含む。
【００６８】
Ｓ２１０において、第２ネットワークデバイスが第１リンク品質パラメータを確定し、前記第１リンク品質パラメータは、端末デバイスと前記第２ネットワークデバイスとの間のリンク品質を示すために用いられる。
【００６９】
Ｓ２２０において、前記第２ネットワークデバイスが第１ネットワークデバイスに前記第１リンク品質パラメータを送信し、ここで、前記第１ネットワークデバイスが前記端末デバイスに現在のサービスを提供する。
【００７０】
具体的に、当該第１ネットワークデバイスが当該端末デバイスに現在のサービスを提供し、当該第２ネットワークデバイスが当該第１ネットワークデバイスに隣接し、当該第２ネットワークデバイスが当該端末デバイスと当該第２ネットワークデバイスとの間のリンク品質パラメータ、即ち第１リンク品質パラメータを確定し、当該第１リンク品質パラメータを第１ネットワークデバイスに送信することで、当該第１ネットワークデバイスが当該第１リンク品質パラメータに基づいて当該端末デバイスのリンクを管理する。
【００７１】
当該第２ネットワークデバイスが当該端末デバイスと当該第２ネットワークデバイスとの間の接続を測定し、当該端末デバイスと当該第２ネットワークデバイスとの間の第１リンク品質パラメータを確定してから、当該第１リンク品質パラメータを当該第１ネットワークデバイスに送信することができる。なお、当該第２ネットワークデバイスが第１ネットワークデバイスとの間のインターフェースを介して当該第１リンク品質パラメータを送信してもよく、本開示の実施例はこれを限定しない。
【００７２】
そして、本開示の実施例におけるリンク管理のための方法によれば、第２ネットワークデバイスが端末デバイスと当該第２ネットワークデバイスとの間の第１リンク品質パラメータを確定し、当該第１リンク品質パラメータを当該端末デバイスのために現在のサービスを提供する第１ネットワークデバイスに送信することで、当該第１ネットワークデバイスが当該端末デバイスのリンクを正しく管理し、端末デバイスのシグナリングオーバーヘッドを節約させることができ、ユーザーの体験を向上させることができる。
【００７３】
１つの選択可能な実施例として、Ｓ１２０において、前記第１ネットワークデバイスが前記第１リンク品質パラメータに基づいて前記端末デバイスと前記第２ネットワークデバイスとの間の接続を要するかどうかを確定する前に、前記方法は、さらに、
前記第１ネットワークデバイスが第２リンク品質パラメータを取得することを含み、前記第２リンク品質パラメータは、前記端末デバイスと前記第１ネットワークデバイスとの間のリンク品質を示すために用いられ、
Ｓ１２０において、前記第１ネットワークデバイスが前記第１リンク品質パラメータに基づいて前記端末デバイスと前記第２ネットワークデバイスとの間の接続を要するかどうかを確定することは、
前記第１ネットワークデバイスが前記第１リンク品質パラメータ及び前記第２リンク品質パラメータに基づいて、前記端末デバイスと前記第２ネットワークデバイスとの間の接続を要するかどうかを確定することを含む。
【００７４】
具体的に、当該第１ネットワークデバイスは、当該端末デバイスと第２ネットワークデバイスとの間のリンク品質パラメータ（即ち第１リンク品質パラメータ）とともに当該端末デバイスと当該第１ネットワークデバイスとの間のリンク品質パラメータ（即ち第２リンク品質パラメータ）を取得し、当該第１リンク品質パラメータ及び当該第２リンク品質パラメータを総合して考え、当該端末デバイスと当該第２ネットワークデバイスとの間の接続を要するかどうかを確定することができる。
【００７５】
なお、Ｓ１２０において、当該第１ネットワークデバイスは、多種の方式で当該端末デバイスと当該第２ネットワークデバイスとの間の接続を要するかどうかを確定することができる。当該第１ネットワークデバイスは、当該端末デバイスと当該第２ネットワークデバイスとの間の第１リンク品質パラメータに基づいて、当該端末デバイスと当該第２ネットワークデバイスとの間の接続を要するかどうかを確定してもいし、当該端末デバイスと当該第２ネットワークデバイスとの間の第１リンク品質パラメータ及び当該端末デバイスと当該第１ネットワークデバイスとの間の第２リンク品質パラメータに基づいて、当該端末デバイスと当該第２ネットワークデバイスとの間の接続を要するかどうかを総合して確定してもよく、本開示の実施例はこれに限定しない。
【００７６】
１つの選択可能な実施例として、前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが第１閾値より大きく、且つ前記第２リンク品質パラメータが第２閾値より小さい場合、前記第１ネットワークデバイスが前記端末デバイスと前記第２ネットワークデバイスとの間の接続を要すると確定することを含む。
【００７７】
具体的に、当該第１リンク品質パラメータが第１閾値より大きく、且つ当該第２リンク品質パラメータが第２閾値より小さい場合、当該端末デバイスと当該第２ネットワークデバイスとの間のリンク品質が当該端末デバイスと当該第１ネットワークデバイスとの間のリンク品質より良いと考え、そして、当該第１ネットワークデバイスは、当該端末デバイスと当該第２ネットワークデバイスとの間の接続を要すると確定することができる。
【００７８】
なお、上記の第１閾値と第２閾値は、予め設定された値であっても良いし、第１ネットワークデバイスが予め設定したものであってもよいが、本開示の実施例はこれに限定しない。
【００７９】
１つの選択可能な実施例として、前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが前記第２リンク品質パラメータと第３閾値との和より大きい場合、前記第１ネットワークデバイスが前記端末デバイスと前記第２ネットワークデバイスとの間の接続を要すると確定することを含む。
【００８０】
具体的に、当該第１リンク品質パラメータが当該第２リンク品質パラメータと第３閾値との和より大きく、即ち当該第１リンク品質パラメータが当該第２リンク品質パラメータのあるオフセット値より大きい場合、当該端末デバイスと当該第２ネットワークデバイスとの間のリンク品質が当該端末デバイスと当該第１ネットワークデバイスとの間のリンク品質より良いことを示し、当該第１ネットワークデバイスは、当該端末デバイスと当該第２ネットワークデバイスとの間の接続を要すると確定することができる。
【００８１】
なお、上記の第３閾値は、予め設定された値であっても良いし、第１ネットワークデバイスが予め設定したものであってもよいが、本開示の実施例はこれに限定しない。
【００８２】
１つの選択可能な実施例として、前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが第４閾値より小さく、且つ前記第２リンク品質パラメータが第５閾値より大きい場合、前記第１ネットワークデバイスが前記端末デバイスと前記第２ネットワークデバイスとの間の接続を要しないと確定することを含む。
【００８３】
選択可能で、前記第１リンク品質パラメータが第４閾値より小さく、前記第１ネットワークデバイスが前記端末デバイスと前記第２ネットワークデバイスとの間の接続を要しないと確定する。
【００８４】
選択可能で、前記第２リンク品質パラメータが第５閾値より大きい場合、前記第１ネットワークデバイスが前記端末デバイスと前記第２ネットワークデバイスとの間の接続を要しないと確定する。
【００８５】
具体的に、当該第１ネットワークデバイスは、当該第１リンク品質パラメータが第４閾値より小さい場合、当該端末デバイスと当該第２ネットワークデバイスとの間の接続を要しないと確定しても良いし、当該第２リンク品質パラメータが第５閾値より大きい場合、当該端末デバイスと当該第２ネットワークデバイスとの間の接続を要しないと確定しても良いし、当該第１リンク品質パラメータが第４閾値より小さく且つ当該第２リンク品質パラメータが第５閾値より大きい場合、当該端末デバイスと当該第２ネットワークデバイスとの間の接続を要しないと確定してもよく、本開示の実施例はこれを限定しない。
【００８６】
なお、上記の第４閾値と第５閾値は、予め設定された値であっても良いし、第１ネットワークデバイスが予め設定したものであってもよいが、本開示の実施例はこれに限定しない。
【００８７】
選択可能で、当該第４閾値が上記の第１閾値、当該第５閾値が上記の第２閾値であってもよい。
【００８８】
１つの選択可能な実施例として、Ｓ１２０において、前記端末デバイスと前記第２ネットワークデバイスとの間の接続を要するかどうかを確定した後、前記方法は、さらに、
前記端末デバイスと前記第２ネットワークデバイスとの間の接続を要すると確定し、且つ前記端末デバイスと前記第２ネットワークデバイスとの間の接続が存在しない場合、前記第１ネットワークデバイスが前記端末デバイスと前記第２ネットワークデバイスとの間の接続を確立することを含む。
【００８９】
具体的に、当該第１ネットワークデバイスは、当該端末デバイスと当該第２ネットワークデバイスとの間の接続を要するかどうかを確定した後、現在の接続状況に応じて、対応する操作を行うことができる。当該第１ネットワークデバイスは、当該端末デバイスと当該第２ネットワークデバイスとの間の接続を要すると確定し、且つ当該端末デバイスと当該第２ネットワークデバイスとの間の接続が現在存在しない場合、当該端末デバイスと当該第２ネットワークデバイスとの間の接続を確立することができる。
【００９０】
選択可能で、当該第１ネットワークデバイスは、当該端末デバイスと当該第２ネットワークデバイスとの間の接続を要すると確定し、且つ当該端末デバイスと当該第２ネットワークデバイスとの間の接続が存在している場合、当該第１ネットワークデバイスが何も操作しなくてもよく、本開示の実施例はこれを限定しない。
【００９１】
なお、当該端末デバイスと当該第２ネットワークデバイスとの間の接続が存在しない場合、当該第１ネットワークデバイスが多種の方式で当該端末デバイスと当該第２ネットワークデバイスとの間の接続を確立することができる。
【００９２】
１つの選択可能な実施例として、前記第１ネットワークデバイスが前記端末デバイスと前記第２ネットワークデバイスとの間の接続を確立することは、
前記第１ネットワークデバイスが前記第１リンク品質パラメータに基づいて、前記端末デバイスと前記第２ネットワークデバイスとの間の接続を前記端末デバイスのリンク補助接続として追加することを含む。
【００９３】
具体的に、当該第１ネットワークデバイスが当該端末デバイスと当該第２ネットワークデバイスとの間の接続を当該端末デバイスのリンク補助接続として設定し、当該第１ネットワークデバイスが依然として当該第２ネットワークデバイスの主の接続として当該端末デバイスにサービスを提供する。
【００９４】
なお、当該端末デバイスのリンク補助接続で伝送するデータと主の接続で伝送するデータとは、同じであっても良しい、相違してもよく、本開示の実施例はこれを限定しない。
【００９５】
１つの選択可能な実施例として、前記第１ネットワークデバイスが前記端末デバイスと前記第２ネットワークデバイスとの間の接続を確立することは、
前記第１ネットワークデバイスが前記第１リンク品質パラメータに基づいて、前記端末デバイスのリンクを前記第２ネットワークデバイスに切り替えることを含む。
【００９６】
具体的に、当該第１ネットワークデバイスが当該端末デバイスへのリンクを当該第２ネットワークデバイスに直接切り替え、当該第２ネットワークデバイスが当該端末デバイスにサービスを提供してもよい。
【００９７】
１つの実現の形態において、当該第１ネットワークデバイスは、当該第１リンク品質パラメータに基づいて、当該端末デバイスと当該第２ネットワークデバイスとの間の接続を主の接続又は補助接続として設定すると決定することができる。当該第１リンク品質パラメータは、当該端末デバイスと当該第２ネットワークデバイスとの間のリンク品質が良いことを示す場合、当該第１ネットワークデバイスは、当該端末デバイスと当該第２ネットワークデバイスとの間の接続を主の接続として設定してもよく、即ち、ネットワークデバイスへのハンドオーバを行う。当該第１リンク品質パラメータは、当該端末デバイスと当該第２ネットワークデバイスとの間のリンク品質が良いことを示し、且つ、第２リンク品質パラメータは、当該端末デバイスと当該第１ネットワークデバイスとの間のリンク品質も良いことを示す場合、当該第１ネットワークデバイスは、当該端末デバイスと当該第２ネットワークデバイスとの間の接続を補助接続として設定してもよい。
【００９８】
１つの選択可能な実施例として、Ｓ１２０において、即ち、前記端末デバイスと前記第２ネットワークデバイスとの間の接続が要するかどうかを確定した後、前記方法は、さらに、
前記端末デバイスと前記第２ネットワークデバイスとの間の接続を要しないと確定し、且つ前記端末デバイスと前記第２ネットワークデバイスとの間の接続が存在している場合、前記第１ネットワークデバイスが前記端末デバイスと前記第２ネットワークデバイスとの間の接続を削除することを含む。
【００９９】
具体的に、当該第１ネットワークデバイスは、当該端末デバイスと当該第２ネットワークデバイスとの間の接続を要するかどうかを確定した後、現在の接続状況に応じて、対応する操作を行うことができる。当該第１ネットワークデバイスは、当該端末デバイスと当該第２ネットワークデバイスとの間の接続を要しないと確定し、且つ、当該端末デバイスと当該第２ネットワークデバイスとの間の接続が現在存在している場合、当該端末デバイスと当該第２ネットワークデバイスとの間の接続を削除することができる。
【０１００】
なお、第１ネットワークデバイスが当該端末デバイスに現在のサービスを提供し、該端末デバイスと当該第２ネットワークデバイスとの間の接続が存在している場合、当該接続が当該端末デバイスのリンク補助接続であることは当然である。当該第１ネットワークデバイスが当該端末デバイスと当該第２ネットワークデバイスとの間の接続を削除した後、当該端末デバイスの接続がダブル接続からシングル接続に変更され、当該第１ネットワークデバイスのみにより当該端末デバイスにサービスを提供する。
【０１０１】
選択可能で、当該第１ネットワークデバイスが当該端末デバイスと当該第２ネットワークデバイスとの間の接続を要しないと確定し、且つ現在に当該端末デバイスと当該第２ネットワークデバイスとの間の接続が存在しない場合、当該第１ネットワークデバイスが何も操作しなくてもよく、本開示の実施例はこれを限定しない。
【０１０２】
１つの選択可能な実施例として、前記第２ネットワークデバイスが第１ネットワークデバイスに第１リンク品質パラメータを送信することは、
前記第２ネットワークデバイスが前記第１ネットワークデバイスに前記第１リンク品質パラメータを周期的に送信することを含む。
【０１０３】
具体的に、当該第２ネットワークデバイスは、当該第１ネットワークデバイスに当該第１リンク品質パラメータを周期的に送信しても良いし、当該第１リンク品質パラメータが所定の条件を満たしている場合、当該第１ネットワークデバイスに当該第１リンク品質パラメータを送信してもよく、本開示の実施例はこれを限定しない。
【０１０４】
１つの選択可能な実施例として、前記第２ネットワークデバイスが第１ネットワークデバイスに第１リンク品質パラメータを送信する前に、前記方法は、さらに、
前記第２ネットワークデバイスが前記端末デバイスと前記第２ネットワークデバイスとの間に接続が存在するかどうかを確定することを含み、
前記第２ネットワークデバイスが第１ネットワークデバイスに第１リンク品質パラメータを送信することは、
前記端末デバイスと前記第２ネットワークデバイスとの間に前記接続を存在しなく、前記第１リンク品質パラメータが第６閾値より大きい場合、前記第２ネットワークデバイスが前記第１ネットワークデバイスに前記第１リンク品質パラメータを送信する。
【０１０５】
具体的に、当該第２ネットワークデバイスは、当該第１リンク品質パラメータを確定した後、当該端末デバイスと当該第２ネットワークデバイスとの間に接続が存在するかどうかを確定し、存在する場合、当該第１リンク品質パラメータが第６閾値より大きいかどうかをさらに判断し、当該第１リンク品質パラメータが当該第６閾値より大きい場合、当該第１リンク品質パラメータを当該第１ネットワークデバイスに送信する。
【０１０６】
このように、当該端末デバイスと当該第２ネットワークデバイスとの間の接続が存在しなく、当該端末デバイスと当該第２ネットワークデバイスとの間のリンク品質が良い場合、第１リンク品質パラメータを送信して当該端末デバイスと当該第２ネットワークデバイスとの間の接続を確立することができ、そして、当該第２ネットワークデバイスは、当該第１リンク品質パラメータが第６閾値より大きい場合のみに第１ネットワークデバイスに当該第１リンク品質パラメータを送信することで、シグナリングオーバーヘッドを節約する。
【０１０７】
１つの選択可能な実施例として、前記第２ネットワークデバイスが前記第１ネットワークデバイスに前記第１リンク品質パラメータを送信することは、
第１時間帯において前記第１リンク品質パラメータがずっと前記第６閾値より大きい場合、前記第２ネットワークデバイスが前記第１ネットワークデバイスに前記第１リンク品質パラメータを送信することを含む。
【０１０８】
具体的に、当該第２ネットワークデバイスは、タイマーを起動し、第１時間帯において各時刻の第１リンク品質パラメータを検定し、当該第１時間帯において当該第１リンク品質パラメータがずっと６閾値より大きい場合、当該第１リンク品質パラメータを当該第１ネットワークデバイスに送信する。
【０１０９】
このように、第２ネットワークデバイスは、第１時間帯において第１リンク品質パラメータに対して統計や判断を行い、所定の条件を満たしている場合、当該第１リンク品質パラメータを第１ネットワークデバイスに送信することで、当該端末デバイスと当該第２ネットワークデバイスとの間のリンク品質の不安定により第１ネットワークデバイスの当該端末デバイスへのリンク管理が正しくなくなることを回避し、シグナリングオーバーヘッドを節約する。
【０１１０】
１つの選択可能な実施例として、前記方法は、さらに、
前記端末デバイスと前記第２ネットワークデバイスとの間に前記接続が存在し、前記第１リンク品質パラメータが第７閾値より小さい場合、前記第２ネットワークデバイスが前記第１ネットワークデバイスに前記第１リンク品質パラメータを送信することを含む。
【０１１１】
具体的に、当該第２ネットワークデバイスは、当該第１リンク品質パラメータを確定した後、当該端末デバイスと当該第２ネットワークデバイスとの間に接続が存在するかどうかを判断し、存在する場合、当該第１リンク品質パラメータが第７閾値より小さいかどうかをさらに判断し、当該第１リンク品質パラメータが当該第７閾値より小さい場合、当該第１リンク品質パラメータを当該第１ネットワークデバイスに送信する。
【０１１２】
選択可能で、当該第７閾値が上記の第６閾値より小さい。
【０１１３】
このように、当該端末デバイスと当該第２ネットワークデバイスとの間の接続が存在し、当該端末デバイスと当該第２ネットワークデバイスとの間のリンク品質が悪くなる場合、第１リンク品質パラメータを送信して当該端末デバイスと当該第２ネットワークデバイスとの間の接続を削除することができ、そして、当該第２ネットワークデバイスは、当該第１リンク品質パラメータが第７閾値より大きい場合のみに第１ネットワークデバイスに当該第１リンク品質パラメータを送信することで、シグナリングオーバーヘッドを節約する。
【０１１４】
１つの選択可能な実施例として、前記第２ネットワークデバイスが前記第１ネットワークデバイスに前記第１リンク品質パラメータを送信することは、
第２時間帯において前記第１リンク品質パラメータがずっと前記第７閾値より小さい場合、前記第２ネットワークデバイスが前記第１ネットワークデバイスに前記第１リンク品質パラメータを送信することを含む。
【０１１５】
具体的に、当該第２ネットワークデバイスは、タイマーを起動し、第２時間帯において各時刻の第１リンク品質パラメータを検定し、当該第２時間帯において当該第１リンク品質パラメータがずっと第７閾値より小さい場合、当該第１リンク品質パラメータを当該第１ネットワークデバイスに送信する。
【０１１６】
このように、第２ネットワークデバイスは、第２時間帯において第１リンク品質パラメータに対して統計や判断を行い、所定の条件を満たしている場合、当該第１リンク品質パラメータを第１ネットワークデバイスに送信することで、当該端末デバイスと当該第２ネットワークデバイスとの間のリンク品質の不安定により第１ネットワークデバイスの当該端末デバイスへのリンク管理が正しくなくなることを回避し、シグナリングオーバーヘッドを節約する。
【０１１７】
１つの選択可能な実施例として、前記第１リンク品質パラメータは、前記端末デバイスと前記第２ネットワークデバイスとの間の信号受信強度、信号受信品質又はリンクパスロスである。
【０１１８】
具体的に、当該リンクパスロスは、第２ネットワークデバイスが当該端末デバイス送信信号の電力値と信号受信強度との差によって計算されたのもであってもよく、当該端末デバイス送信信号の電力値は、当該第１ネットワークデバイスから当該第２ネットワークデバイスに送信したのもであってもよい。
【０１１９】
１つの選択可能な実施例として、Ｓ１２０において、前記第１ネットワークデバイスが第２ネットワークデバイスにより送信された第１リンク品質パラメータを受信する前に、前記方法は、さらに、
前記第１ネットワークデバイスが前記第２ネットワークデバイスに測定構成情報を送信することを含み、前記測定構成情報は、前記第２ネットワークデバイスが前記端末デバイスと前記第２ネットワークデバイスとの間のリンク品質を測定するように指示するために用いられる。
【０１２０】
それに対応し、前記第２ネットワークデバイスが前記第１ネットワークデバイスにより送信された測定構成情報を受信する。
【０１２１】
前記第２ネットワークデバイスが第１ネットワークデバイスに第１リンク品質パラメータを送信することは、
前記第２ネットワークデバイスが前記測定構成情報に基づいて前記第１ネットワークデバイスに測定結果を送信することを含み、前記測定結果には、測定されたビーム、ネットワーク伝送ポイント、セル、周波数ポイント情報のうちの少なくとも１つ前記第１リンク品質パラメータ及び送信時間基準情報が含まれる。
【０１２２】
なお、前記第１リンク品質情報は、測定されたビーム、ネットワーク伝送ポイント、セル及び周波数ポイントに対応するリンク品質情報を指す。
【０１２３】
それに対応し、前記第１ネットワークデバイスが第２ネットワークデバイスにより送信された第１リンク品質パラメータを受信することは、
前記第１ネットワークデバイスが前記第２ネットワークデバイスの前記測定構成情報に基づいて送信した測定結果を受信することを含み、前記測定結果には、測定されたビーム、セル、ネットワーク伝送ポイント、周波数ポイント情報のうちの少なくとも１つ前記第１リンク品質パラメータ及び前記端末デバイスの送信時間基準情報が含まれる。
【０１２４】
なお、前記第１リンク品質情報は、測定されたビーム、ネットワーク伝送ポイント、セル及び周波数ポイントに対応するリンク品質情報を指す。
【０１２５】
具体的に、当該第１ネットワークデバイスは、当該第２ネットワークデバイスに測定構成情報を送信して、当該第２ネットワークデバイスが当該端末デバイスと当該第２ネットワークデバイスとの間のリンク品質を測定するように指示し、当該測定構成情報には、測定に関するパラメータが含まれる。当該第２ネットワークデバイスは、当該第１ネットワークデバイスにより送信された測定構成情報を受信した後、当該測定構成情報に含まれるパラメータに基づいて、当該端末デバイスと当該第２ネットワークデバイスとの間のリンク品質を測定することができる。当該第２ネットワークデバイスは、当該測定構成情報内の構成によって当該第１ネットワークデバイスに測定結果を送信し、当該測定結果には、当該第１リンク品質パラメータ及び測定されたセル又は周波数ポイント情報が含まれる。
【０１２６】
１つの選択可能な実施例として、前記測定構成情報は、測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、当該送信時間基準情報は、当該端末デバイスのデータ送信時間を示すために用いられる。
【０１２７】
さらに、端末デバイスの送信時間基準情報は、送信時間のアドバンス量情報であってもよい。
【０１２８】
なお、端末デバイスの送信時間基準情報は、端末の対応するネットワークデバイスのリンク上の送信時間基準情報を指す。
【０１２９】
具体的に、測定量情報は、測定必要の量であり、具体的に、測定信号受信強度、測定パスロス、測定信号受信強度及びパスロス等を含む。測定結果報告条件は、周期報告又はイベントトリガ報告であり、周期報告について、当該測定結果報告条件に周期構成情報がさらに含まれ、イベントトリガ報告について、当該測定結果報告条件には対応するイベント、例えば、上記の当該第１リンク品質パラメータが第６閾値より大きいこと、又は当該第１リンク品質パラメータが第７閾値小さいことがさらに含まれ、タイマーを起動する場合、上記の第１時間帯及び第２時間帯も含まれる。測定イベントトリガ量は、上記のイベントをトリガする測定量を指し、信号受信強度であっても良いし、パスロスであっても良い。測定結果報告量は、測定量情報と同様に、測定量情報に基づいて測定の結果を報告する。測定結果報告の時間間隔は、前回の測定結果を報告した後、一定の時間を経過してから測定結果を再度報告することができ、これにより、リンク品質の突然の一時な変化を回避する。当該端末デバイスの時間アドバンス量は、当該端末デバイスがリンクを確立する必要がある場合、一定の時間前倒し行うために用いられ、例えば、当該端末デバイスに３０ｍｓ又は５０ｍｓ前倒しを通知し、本発明の実施例はこれを限定しない。端末デバイスは、第２ネットワークデバイスとリンクを確立する過程において、当該第２ネットワークデバイスと同期させる必要があるため、当該時間アドバンス量に基づいて、第２ネットワークデバイスにデータを送信し、当該端末デバイスの接続確立の遅延を減少させることができる。
【０１３０】
なお、当該第１ネットワークデバイスが取得した第１リンク品質パラメータは、第２ネットワークデバイスが当該端末デバイスと当該第２ネットワークデバイスとの間のリンク品質を測定して得られたのもであってもよい。当該第２ネットワークデバイスが基準信号により当該端末デバイスと当該第２ネットワークデバイスとの間のリンク品質を測定することができる。当該基準信号の関連パラメータは、第２ネットワークデバイスにより構成されたものであっても良いし、当該第１ネットワークデバイスにより構成されたものであっても良く、本開示の実施例はこれを限定しない。
【０１３１】
１つの選択可能な実施例として、前記第１ネットワークデバイスが第２ネットワークデバイスにより送信された第１リンク品質パラメータを受信する前、前記方法において、
前記第１ネットワークデバイスが前記第２ネットワークデバイスに要求メッセージを送信し、
それに対応し、前記第２ネットワークデバイスが前記第１ネットワークデバイスにより送信された要求メッセージを受信し、
前記第２ネットワークデバイスが前記要求メッセージに基づいて前記端末デバイスの基準信号の構成パラメータを確定し、
前記第２ネットワークデバイスが前記第１ネットワークデバイスに前記基準信号の構成パラメータを送信し、
それに対応し、前記第１ネットワークデバイスが前記第２ネットワークデバイスにより送信された前記基準信号の構成パラメータを受信し、
前記第１ネットワークデバイスが前記端末デバイスに前記構成パラメータを送信する。
【０１３２】
具体的に、当該第１ネットワークデバイスは、当該第２ネットワークデバイスに要求メッセージを送信し、当該第２ネットワークデバイスが当該端末デバイスに基準信号を構成するように要求し、当該第２ネットワークデバイスが当該要求メッセージを受信した後、基準信号の構成パラメータを確定し、それを当該第１ネットワークデバイスに送信し、当該第１ネットワークデバイスが当該基準信号の構成パラメータを当該端末デバイスに送信し、当該端末デバイスが第２ネットワークデバイスからの構成パラメータに基づいて基準信号を送信する。
【０１３３】
１つの選択可能な実施例として、Ｓ１１０において、即ち、前記第１ネットワークデバイスが第２ネットワークデバイスにより送信された第１リンク品質パラメータを受信する前に、前記方法は、さらに、
前記第１ネットワークデバイスが前記第２ネットワークデバイスに前記端末デバイスの基準信号の構成パラメータを送信することを含む。
【０１３４】
それに対応し、前記第２ネットワークデバイスが前記第１ネットワークデバイスにより送信された前記端末デバイスの基準信号の構成パラメータを受信する。
【０１３５】
具体的に、当該第１ネットワークデバイスが当該基準信号の構成パラメータを確定してから当該第２ネットワークデバイスに送信し、当該第２ネットワークデバイスが当該基準信号の構成パラメータを受信し、構成パラメータに基づいて、対応するリソースにおいて当該端末デバイスにより送信された基準信号を直接受信して、当該端末デバイスと当該第２ネットワークデバイスとの間のリンクを測定する。
【０１３６】
なお、端末デバイスと第２ネットワークデバイスとの間の基準信号は、サウンディング基準信号（ＳＲＳ：Ｓｏｕｎｄｉｎｇ  Ｒｅｆｅｒｅｎｃｅ  Ｓｉｇｎａｌ）、物理リンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号、物理リンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号で、又は他の信号であってもよく、本開示の実施例はこれを限定しない。
【０１３７】
１つの選択可能な実施例として、前記構成パラメータは、前記基準信号の送信が占用するリソース位置、信号コードワード、ビーム情報、ネットワーク伝送ポイント情報、及び前記基準信号の送信に使用する送信電力のうちの少なくとも１つを含む。
【０１３８】
なお、上記のリンク管理方法は、アップリンクリンクとダウンリンクに適用され、特に、当該端末デバイスのアップリンク、ダウンリンクが対称特徴を有し又はアップリンクダウンリンクのパスロスが相当する場合に適用され、そして、本開示の実施例はこれを限定しない。
【０１３９】
１つの選択可能な実施例として、上記の第１ネットワークデバイス及び第２ネットワークデバイスは、基地局、伝送ポイント又はビームであってもよい。なお、第１ネットワークデバイスに対応するセル及び第２ネットワークデバイスに対応するセルは、基地局、伝送ポイント又はビームであってもよく、本開示の実施例はこれを限定しない。
【０１４０】
なお、本開示の実施例におけるリンク管理のための方法は、端末デバイスの一部又はすべてのベアリングの管理、端末デバイスの一部又はすべてのデータストリームの管理にも応用され、本開示の実施例はこれを限定しない。
【０１４１】
図３は本開示の実施例におけるリンク管理のための方法３００のフローチャートを示す。図３にリンク管理のための方法のステップや操作を示しているが、これらのステップや操作が例示的なものであり、本発明の実施例は、他の操作又は図３の各操作の変形を実行してもよく、当該方法３００は、Ｓ３０１〜Ｓ３１２を含む。
【０１４２】
Ｓ３０１において、第１ネットワークデバイスが第２ネットワークデバイスに要求メッセージ及び測定構成メッセージを送信し、当該要求メッセージは、当該第２ネットワークデバイスが当該端末デバイスにアップリンク基準信号を構成するように要求するために用いられ、当該測定構成メッセージは、当該第２ネットワークデバイスが当該端末デバイスと当該第２ネットワークデバイスとの間のアップリンクリンク品質を測定するように指示するために用いられ、当該測定構成情報には測定に関するパラメータが含まれる。
【０１４３】
Ｓ３０２において、当該第２ネットワークデバイスは、当該要求メッセージ及び当該測定構成メッセージを受信し、アップリンク基準信号を構成し、当該アップリンクの参照用の構成パラメータを確定する。
【０１４４】
Ｓ３０３において、当該第２ネットワークデバイスは、当該第１ネットワークデバイスに応答メッセージを送信し、当該応答メッセージには当該アップリンク基準信号の構成パラメータが含まれる。
【０１４５】
Ｓ３０４において、当該第１ネットワークデバイスは、当該アップリンク基準信号の構成パラメータを当該端末デバイスに送信する。
【０１４６】
Ｓ３０５において、当該端末デバイスは、当該アップリンク基準信号の構成パラメータを受信し、アップリンク基準信号を構成し、当該第１ネットワークデバイスに再構成完了メッセージを送信する
Ｓ３０６において、当該端末デバイスは、当該第２ネットワークデバイスにアップリンク基準信号を送信する。
【０１４７】
Ｓ３０７において、当該第２ネットワークデバイスは、当該アップリンク基準信号を受信し、測定構成メッセージ内の構成パラメータに基づいてアップリンクリンク品質測定を行い、第１リンク品質パラメータを取得する。
【０１４８】
Ｓ３０８において、当該第１リンク品質パラメータが報告条件を満たしている場合、当該第２ネットワークデバイスは、当該第１リンク品質パラメータを当該第１ネットワークデバイスに送信する。
【０１４９】
Ｓ３０９において、当該第１ネットワークデバイスは、端末デバイスと自分とのアップリンクリンク品質及び当該端末デバイスと第２ネットワークデバイスとのアップリンクリンク品質を結合し、当該端末デバイスのアップリンクリンクハンドオーバを当該第２ネットワークデバイスに切り替える必要があると確定する。
【０１５０】
Ｓ３１０において、当該第１ネットワークデバイスは、当該第２ネットワークデバイスに切替要求メッセージを送信する。
【０１５１】
Ｓ３１１において、当該第２ネットワークデバイスは、当該切替要求メッセージを受信じ、当該第１ネットワークデバイスに切替確認メッセージを送信する。
【０１５２】
Ｓ３１２において、当該第１ネットワークデバイスは、切替確認メッセージを受信した後、当該端末デバイスに切替命令を送信する。
【０１５３】
そして、本開示の実施例におけるリンク管理のための方法によれば、第２ネットワークデバイスが端末デバイスと自分とのリンク品質を測定し、第１リンク品質パラメータを取得し第１ネットワークデバイスに送信し、さらに、当該第１ネットワークデバイスは、当該第１リンク品質パラメータ及び当該端末デバイスと第１ネットワークデバイスとの間の第２リンク品質パラメータに基づいて、当該端末デバイスの接続を第２ネットワークデバイスに切り替えるかどうかを確定することで、当該端末デバイスのリンクを正しく管理し、端末デバイスのシグナリングオーバーヘッドを節約させることができ、ユーザーの体験を向上させることができる。
【０１５４】
なお、本開示の実施例がアップリンクを例として説明するが、本発明の実施例はこれに限定しない。
【０１５５】
なお、本発明の各実施例において、上記各過程の番号が実行順番の前後を意味しなく、各過程の実行順番は、その機能及び組み込み論理に決定され、本発明の実施例の実行過程を限定しない。
【０１５６】
図４は本開示の実施例におけるリンク管理のための装置４００のブロック図である。図４に示すように、当該装置４００は、取得ユニット４１０及び取得ユニット４１０を含む。
【０１５７】
取得ユニット４１０は、前記第２ネットワークデバイスにより送信された前記第１リンク品質パラメータを受信するように構成され、前記第１リンク品質パラメータは、端末デバイスと第２ネットワークデバイスとの間のリンク品質を示すために用いられ、前記装置が前記端末デバイスに現在のサービスを提供する。
【０１５８】
取得ユニット４１０は、前記取得ユニットにより取得された前記第１リンク品質パラメータに基づいて、前記端末デバイスと前記第２ネットワークデバイスとの間の接続を要するかどうかを確定するように構成される。
【０１５９】
そして、本開示の実施例におけるリンク管理のための装置によって、第１ネットワークデバイスは、端末デバイスと第２ネットワークデバイスとの間の第１リンク品質パラメータを取得し、当該第１リンク品質パラメータに基づいて当該端末デバイスと当該第２ネットワークデバイスとの間の接続を要するかどうかを確定することで、当該端末デバイスのリンクを正しく管理し、端末デバイスのシグナリングオーバーヘッドを節約させることができ、ユーザーの体験を向上させることができる。
【０１６０】
選択可能で、前記取得ユニット４１０は、さらに、前記第１リンク品質パラメータに基づいて、前記端末デバイスと前記第２ネットワークデバイスとの間の接続を要するかどうかを確定する前に、第２リンク品質パラメータを取得するように構成され、前記第２リンク品質パラメータは、前記端末デバイスと前記装置との間のリンク品質を示すために用いられ、前記確定ユニット４２０は、具体的に、前記第１リンク品質パラメータ及び前記第２リンク品質パラメータに基づいて、前記端末デバイスと前記第２ネットワークデバイスとの間の接続を要するかどうかを確定するように構成される。
【０１６１】
選択可能で、前記確定ユニット４２０は、具体的に、前記第１リンク品質パラメータが第１閾値より大きく、且つ前記第２リンク品質パラメータが第２閾値より小さい場合、前記端末デバイスと前記第２ネットワークデバイスとの間の接続を要すると確定するように構成される。
【０１６２】
選択可能で、前記確定ユニット４２０は、具体的に、前記第１リンク品質パラメータが前記第２リンク品質パラメータと第３閾値との和より大きい場合、前記端末デバイスと前記第２ネットワークデバイスとの間の接続を要すると確定するように構成される。
【０１６３】
選択可能で、前記確定ユニット４２０は、具体的に、前記第１リンク品質パラメータが第４閾値より小さく、且つ前記第２リンク品質パラメータが第５閾値より大きい場合、前記端末デバイスと前記第２ネットワークデバイスとの間の接続を要しないと確定するように構成される。
【０１６４】
選択可能で、前記第１リンク品質パラメータが第４閾値より小さく、前記第１ネットワークデバイスが前記端末デバイスと前記第２ネットワークデバイスとの間の接続を要しないと確定する。
【０１６５】
選択可能で、前記第２リンク品質パラメータが第５閾値より大きい場合、前記第１ネットワークデバイスが前記端末デバイスと前記第２ネットワークデバイスとの間の接続を要しないと確定する。
【０１６６】
選択可能で、前記装置は、さらに、確立ユニットを含み、確立ユニットは、前記端末デバイスと前記第２ネットワークデバイスとの間の接続を要するかどうかを確定した後、前記端末デバイスと前記第２ネットワークデバイスとの間の接続を要すると確定し、且つ前記端末デバイスと前記第２ネットワークデバイスとの間の接続が存在しない場合、前記端末デバイスと前記第２ネットワークデバイスとの間の接続を確立するように構成される。
【０１６７】
選択可能で、前記確立ユニットは、具体的に、前記第１リンク品質パラメータに基づいて、前記端末デバイスと前記第２ネットワークデバイスとの間の接続を前記端末デバイスのリンク補助接続として追加するように構成される。
【０１６８】
選択可能で、前記確立ユニットは、具体的に、前記第１リンク品質パラメータに基づいて、前記端末デバイスのリンクを前記第２ネットワークデバイスに切り替えるように構成される。
【０１６９】
選択可能で、前記装置は、さらに、削除ユニットを含み、削除ユニットは、前記端末デバイスと前記第２ネットワークデバイスとの間の接続を要するかどうかを確定した後、前記端末デバイスと前記第２ネットワークデバイスとの間の接続を要しないと確定し、且つ前記端末デバイスと前記第２ネットワークデバイスとの間の接続が存在している場合、前記端末デバイスと前記第２ネットワークデバイスとの間の接続を削除するように構成される。
【０１７０】
選択可能で、前記第１リンク品質パラメータは、前記端末デバイスと前記第２ネットワークデバイスとの間の信号受信強度、信号受信品質、リンクパスロスのうちの少なくとも１つを含む。
【０１７１】
選択可能で、前記装置は、さらに、第１送信ユニットを含み、第１送信ユニットは、前記第２ネットワークデバイスにより送信された第１リンク品質パラメータを受信する前に、前記第２ネットワークデバイスに測定構成情報を送信するように構成され、前記測定構成情報は、前記第２ネットワークデバイスが前記端末デバイスと前記第２ネットワークデバイスとの間のリンク品質を測定するように指示するために用いられる。
【０１７２】
前記取得ユニット４１０は、具体的に、前記第２ネットワークデバイスが前記測定構成情報により送信された測定結果を受信するように構成され、前記測定結果には、測定されたビーム、セル、ネットワーク伝送ポイント、周波数ポイント情報のうちの少なくとも１つの前記第１リンク品質パラメータ及び前記端末デバイスのアップリンク送信時間基準情報のうちの少なくとも１つが含まれる。
【０１７３】
なお、前記第１リンク品質情報は、測定されたビーム、ネットワーク伝送ポイント、セル及び周波数ポイントに対応するリンク品質情報を指す。
【０１７４】
選択可能で、前記測定構成情報は、
測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、当該アップリンク送信時間基準情報は、当該端末デバイスのデータ送信時間を示すために用いられる。
【０１７５】
さらに、端末デバイスのアップリンク送信時間基準情報は、アップリンク送信時間アドバンス量情報であってもよい。
【０１７６】
なお、端末デバイスのアップリンク送信時間基準情報は、端末の対応するネットワークデバイスリンク上のアップリンク送信時間基準情報を指す。
【０１７７】
選択可能で、前記装置は、さらに、第２送信ユニットを含み、第２送信ユニットは、前記第２ネットワークデバイスにより送信された第１リンク品質パラメータを受信する前に、前記第２ネットワークデバイスに要求メッセージを送信するように構成され、前記要求メッセージは、前記第２ネットワークデバイスが前記端末デバイスのために基準信号を構成するように要求するために用いられ、
前記取得ユニット４１０は、さらに、前記第２ネットワークデバイスにより送信された前記基準信号の構成パラメータを受信するように構成され、前記第２送信ユニットは、さらに、前記端末デバイスに前記構成パラメータを送信するように構成される。
【０１７８】
選択可能で、前記装置は、さらに、前記第２ネットワークデバイスにより送信された第１リンク品質パラメータを受信する前に、前記第２ネットワークデバイスに前記端末デバイスの基準信号の構成パラメータを送信するように構成される。
【０１７９】
選択可能で、前記構成パラメータは、前記基準信号の送信が占用するリソース位置、信号コードワード、ビーム情報、ネットワーク伝送ポイント、及び前記基準信号の送信に使用する送信電力のうちの少なくとも１つを含む。
【０１８０】
なお、ここの装置４００が機能モジュールにより体現される。ここの単語「モジュール」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ以上のソフトウェア又はファームウェアプログラムを実行するプロセッサ（例えば共有プロセッサ、専有プロセッサ又はプロセッサセット等）、メモリ、結合論理回路及び／又は上記の機能をサポートする他の部品を指す。１つの選択可能な例において、当業者は、装置４００が上記の実施例における第１ネットワークデバイスであり、上記の方法の実施例における第１ネットワークデバイスに対応する各プロセス及び／又はステップを実行することができると理解され、重複の説明を回避するために、ここで説明を省略する。
【０１８１】
図５は、本開示の実施例におけるリンク管理のための装置５００のブロック図である。図５に示すように、当該装置５００は、確定ユニット５１０及び送信ユニット５２０を含む。
【０１８２】
確定ユニット５１０は、第１リンク品質パラメータを確定するように構成される、前記第１リンク品質パラメータは、端末デバイスと前記装置との間のリンク品質を示すために用いられる。
【０１８３】
送信ユニット５２０は、第１ネットワークデバイスに前記第１リンク品質パラメータを送信するように構成され、前記第１ネットワークデバイスが前記端末デバイスに現在のサービスを提供する。
【０１８４】
そして、本開示の実施例におけるリンク管理のための装置によって、第２ネットワークデバイスが端末デバイスと当該第２ネットワークデバイスとの間の第１リンク品質パラメータを確定し、当該第１リンク品質パラメータを当該端末デバイスのためにサービスを現在提供する第１ネットワークデバイスに送信することで、当該第１ネットワークデバイスが当該端末デバイスのリンクを正しく管理し、端末デバイスのシグナリングオーバーヘッドを節約させることができ、ユーザーの体験を向上させることができる。
【０１８５】
選択可能で、前記送信ユニット５２０は、具体的に、前記第１ネットワークデバイスに前記第１リンク品質パラメータを周期的に送信するように構成される。
【０１８６】
選択可能で、前記確定ユニット５１０は、さらに、前記第１ネットワークデバイスに第１リンク品質パラメータを送信する前に、前記端末デバイスと前記装置との間に接続が存在するかどうかを確定するように構成される。
【０１８７】
前記送信ユニット５２０は、具体的に、前記端末デバイスと前記装置との間に前記接続が存在しなく、前記第１リンク品質パラメータが第６閾値より大きい場合、前記第１ネットワークデバイスに前記第１リンク品質パラメータを送信するように構成される。
【０１８８】
選択可能で、前記送信ユニット５２０は、さらに、第１時間帯において前記第１リンク品質パラメータがずっと前記第６閾値より大きい場合、前記第１ネットワークデバイスに前記第１リンク品質パラメータを送信するように構成される。
【０１８９】
選択可能で、前記送信ユニット５２０は、さらに、前記端末デバイスと前記装置との間に前記接続が存在し、前記第１リンク品質パラメータが第７閾値より小さい場合、前記第１ネットワークデバイスに前記第１リンク品質パラメータを送信するように構成される。
【０１９０】
選択可能で、前記送信ユニット５２０は、具体的に、第２時間帯において前記第１リンク品質パラメータがずっと前記第７閾値より小さい場合、前記第１ネットワークデバイスに前記第１リンク品質パラメータを送信するように構成される。
【０１９１】
選択可能で、前記第１リンク品質パラメータは、前記端末デバイスと前記装置との間の信号受信強度、信号受信品質、リンクパスロスのうちの少なくとも１つを含む。
【０１９２】
選択可能で、前記装置は、さらに、第１受信ユニットを含み、第１受信ユニットは、前記向第１ネットワークデバイスが第１リンク品質パラメータを送信する前に、前記第１ネットワークデバイスにより送信された測定構成情報を受信するように構成され、前記測定構成情報は、前記装置が前記端末デバイスと前記装置との間のリンク品質を測定するように指示するために用いられ、前記送信ユニット５２０は、具体的に、前記測定構成情報に基づいて前記第１ネットワークデバイスに測定結果を送信するように構成され、
前記測定結果には、測定されたビーム、セル、ネットワーク伝送ポイント、周波数ポイント情報のうちの少なくとも１つの前記第１リンク品質パラメータ及び前記端末デバイスのアップリンク送信時間基準情報のうちの少なくとも１つが含まれる。
【０１９３】
なお、前記第１リンク品質情報は、測定されたビーム、ネットワーク伝送ポイント、セル及び周波数ポインに対応するリンク品質情報を指す。
【０１９４】
選択可能で、前記測定構成情報は、
測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、当該アップリンク送信時間基準情報は、当該端末デバイスのデータ送信時間を示すために用いられる。
【０１９５】
さらに、端末デバイスのアップリンク送信時間基準情報は、アップリンク送信時間アドバンス量情報であってもよい。
【０１９６】
なお、端末デバイスのアップリンク送信時間基準情報は、端末の対応するネットワークデバイスリンク上のアップリンク送信時間基準情報を指す。
【０１９７】
選択可能で、前記装置は、さらに、第２受信を含み、第２受信ユニットは、前記第１ネットワークデバイスに第１リンク品質パラメータを送信する前に、前記第１ネットワークデバイスにより送信された要求メッセージを受信するように構成され、前記要求メッセージは、前記装置が前記端末デバイスのために基準信号を構成するように要求するために用いられ、前記確定ユニット５１０は、さらに、前記要求メッセージに基づいて前記端末デバイスの基準信号の構成パラメータを確定するように構成され、前記送信ユニット５２０は、さらに、前記第１ネットワークデバイスに前記構成パラメータを送信するように構成される。
【０１９８】
選択可能で、前記装置は、さらに、第３受信ユニットを含み、第３受信ユニットは、前記第１ネットワークデバイスに第１リンク品質パラメータを送信する前に、前記第１ネットワークデバイスにより送信された前記端末デバイスの基準信号の構成パラメータを受信するように構成される。
【０１９９】
選択可能で、前記構成パラメータは、前記基準信号の送信が占用するリソース位置、信号コードワード、ビーム情報、ネットワーク伝送ポイント、及び前記基準信号の送信に使用する送信電力のうちの少なくとも１つを含む。
【０２００】
なお、ここの装置５００が機能モジュールにより体現される。ここの単語「モジュール」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つ以上のソフトウェア又はファームウェアプログラムを実行するプロセッサー（例えば共有プロセッサー、専有プロセッサー又はプロセッサーセット等）、メモリ、結合論理回路及び／又は上記の機能をサポートする他の部品を指す。１つの選択可能な例において、当業者は、装置５００が上記の実施例における第２ネットワークデバイスであり、上記の方法の実施例における第２ネットワークデバイスに対応する各プロセス及び／又はステップを実行することができると理解され、重複の説明を回避するために、ここで説明を省略する。
【０２０１】
図６は本開示の実施例におけるリンク管理のためのシステム６００のブロック図である。図６に示すように、当該リンク管理のためのシステム６００は、装置４００及び装置５００を含む。
【０２０２】
ここで、装置４００は、上記の方法の実施例内の第１ネットワークデバイスに対応する各プロセス及び／又はステップを実行し、装置５００は、上記の方法の実施例内の第２ネットワークデバイスに対応する各プロセス及び／又はステップを実行し、重複の説明を回避するために、ここで説明を省略する。
【０２０３】
図７は本開示の実施例におけるリンク管理のための装置７００を示し、当該装置７００は、受信機７１０、プロセッサ７２０、送信機７３０、メモリ７４０及びバスシステム７５０を含む。ここで、受信機７１０、プロセッサ７２０、送信機７３０及びメモリ７４０は、バスシステム７５０により接続され、当該メモリ７４０は命令を記憶し、当該プロセッサ７２０は、当該メモリ７４０に記憶した命令を実行して、当該受信機７１０が信号を受信し当該送信機７３０が命令を送信するように制御する。
【０２０４】
ここで、当該受信機７１０は、前記第２ネットワークデバイスにより送信された第１リンク品質パラメータを受信するように構成され、前記第１リンク品質パラメータは、端末デバイスと第２ネットワークデバイスとの間のリンク品質を示すために用いられ、前記装置が前記端末デバイスに現在のサービスを提供する。
【０２０５】
当該プロセッサ７２０は、前記取得ユニットにより取得された前記第１リンク品質パラメータに基づいて、前記端末デバイスと前記第２ネットワークデバイスとの間の接続を要するかどうかを確定するように構成される。
【０２０６】
なお、装置７００が上記の実施例における第１ネットワークデバイスであってもよく、上記の方法の実施例において第１ネットワークデバイスに対応する各ステップ及び／又はプロセスを実行することができる。選択可能で、当該メモリ７４０が読み取り専用メモリ及びランダムアクセスメモリを含み、プロセッサに命令及びデータを提供する。メモリが不揮発性ランダムアクセスメモリを含む。例えば、メモリは、デイバスタイプの情報を記憶する。当該プロセッサ７２０がメモリに記憶した命令を実行し、当該プロセッサが当該命令を実行する場合、当該プロセッサが上記の方法の実施例における第１ネットワークデバイスに対応する各ステップを実行する。
【０２０７】
図８は本開示の実施例におけるリンク管理のための装置８００を示し、当該装置８００は、受信機８１０、プロセッサ８２０、送信機８３０、メモリ８４０及びバスシステム８５０を含む。ここで、受信機８１０、プロセッサ８２０、送信機８３０及びメモリ８４０は、バスシステム８５０により接続され、当該メモリ８４０は命令を記憶し、当該プロセッサ８２０は、当該メモリ８４０に記憶した命令を実行して、当該受信機８１０が信号を受信し当該送信機８３０が命令を送信するように制御する。
【０２０８】
ここで、当該プロセッサ８２０は、第１リンク品質パラメータを確定するように構成される、前記第１リンク品質パラメータは、端末デバイスと前記装置との間のリンク品質を示すために用いられる。
【０２０９】
当該送信機８３０は、第１ネットワークデバイスに前記第１リンク品質パラメータを送信するように構成される、前記第１ネットワークデバイスが前記端末デバイスに現在のサービスを提供する。
【０２１０】
なお、装置８００が上記の実施例における第２ネットワークデバイスであってもよく、上記の方法の実施例において第２ネットワークデバイスに対応する各ステップ及び／又はプロセスを実行することができる。選択可能で、当該メモリ８４０が読み取り専用メモリ及びランダムアクセスメモリを含み、プロセッサに命令及びデータを提供する。メモリが不揮発性ランダムアクセスメモリを含む。例えば、メモリは、デイバスタイプの情報を記憶する。当該プロセッサ８２０がメモリに記憶した命令を実行し、当該プロセッサが当該命令を実行する場合、当該プロセッサが上記の方法の実施例における第２ネットワークデバイスに対応する各ステップを実行する。
【０２１１】
なお、本発明の実施例において、プロセッサが中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。汎用プロセッサは、マイクロプロセッサ、いかなる通常のプロセッサ等であってもよい。
【０２１２】
なお、本明細書に記載される「及び／又は」、関連対象の関連関係を説明するものだけであり、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【０２１３】
なお、本発明の各実施例において、上記各過程の番号が実行順番の前後を意味しなく、各過程の実行順番は、その機能及び組み込み論理に決定され、本発明の実施例の実行過程を限定しない。
【０２１４】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２１５】
当業者は、上記のシステム、装置及びユニットの具体的な動作過程が、上記の方法の実施例に対する過程を参照されると理解され、ここで説明を省略する。
【０２１６】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２１７】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２１８】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２１９】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２２０】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019534612.tif 000003
【図２】
2019534612.tif 000004
【図３】
2019534612.tif 000005
【図４】
2019534612.tif 000006
【図５】
2019534612.tif 000007
【図６】
2019534612.tif 000008
【図７】
2019534612.tif 000009
【図８】
2019534612.tif 000010
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
リンク管理のための方法であって、
第１ネットワークデバイスが第２ネットワークデバイスにより送信された第１リンク品質パラメータを受信することと、
前記第１ネットワークデバイスが前記第１リンク品質パラメータに基づいて前記端末デバイスと前記第２ネットワークデバイスとの間の接続を要するかどうかを確定することとを含み、
前記第１リンク品質パラメータは、端末デバイスと第２ネットワークデバイスとの間のリンク品質を示すために用いられ、
前記第１ネットワークデバイスが前記端末デバイスに現在のサービスを提供する
ことを特徴とするリンク管理のための方法。
【請求項２】
前記第１ネットワークデバイスが前記第１リンク品質パラメータに基づいて前記端末デバイスと前記第２ネットワークデバイスとの間の接続を要するかどうかを確定する前に、前記方法は、さらに、
前記第１ネットワークデバイスが第２リンク品質パラメータを取得することを含み、前記第２リンク品質パラメータは、前記端末デバイスと前記第１ネットワークデバイスとの間のリンク品質を示すために用いられ、
前記第１ネットワークデバイスが前記第１リンク品質パラメータに基づいて前記端末デバイスと前記第２ネットワークデバイスとの間の接続を要するかどうかを確定することは、
前記第１ネットワークデバイスが前記第１リンク品質パラメータ及び前記第２リンク品質パラメータに基づいて、前記端末デバイスと前記第２ネットワークデバイスとの間の接続を要するかどうかを確定することを含む
ことを特徴とする請求項１に記載のリンク管理のための方法。
【請求項３】
前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが第１閾値より大きく、且つ前記第２リンク品質パラメータが第２閾値より小さい場合、前記第１ネットワークデバイスが前記端末デバイスと前記第２ネットワークデバイスとの間の接続を要すると確定することを含み、
又は、
前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが前記第２リンク品質パラメータと第３閾値との和より大きい場合、前記第１ネットワークデバイスが前記端末デバイスと前記第２ネットワークデバイスとの間の接続を要すると確定することを含み、
又は、
前記第１ネットワークデバイスが前記第１リンク品質パラメータ及び前記第２リンク品質パラメータに基づいて、前記端末デバイスと前記第２ネットワークデバイスとの間の接続を要するかどうかを確定することは、
前記第１リンク品質パラメータが第４閾値より小さく、且つ前記第２リンク品質パラメータが第５閾値より大きい場合、前記第１ネットワークデバイスが前記端末デバイスと前記第２ネットワークデバイスとの間の接続を要しないと確定することを含む
ことを特徴とする請求項２に記載のリンク管理のための方法。
【請求項４】
前記端末デバイスと前記第２ネットワークデバイスとの間の接続を要するかどうかを確定した後、前記方法は、さらに、
前記端末デバイスと前記第２ネットワークデバイスとの間の接続を要すると確定し、且つ前記端末デバイスと前記第２ネットワークデバイスとの間の接続が存在しない場合、前記第１ネットワークデバイスが前記端末デバイスと前記第２ネットワークデバイスとの間の接続を確立することを含む
ことを特徴とする請求項１〜３のいずれか１項に記載のリンク管理のための方法。
【請求項５】
前記第１ネットワークデバイスが前記端末デバイスと前記第２ネットワークデバイスとの間の接続を確立することは、
前記第１ネットワークデバイスが前記第１リンク品質パラメータに基づいて、前記端末デバイスと前記第２ネットワークデバイスとの間の接続を前記端末デバイスのリンク補助接続として追加することを含む
ことを特徴とする請求項４に記載のリンク管理のための方法。
【請求項６】
前記第１ネットワークデバイスが前記端末デバイスと前記第２ネットワークデバイスとの間の接続を確立することは、
前記第１ネットワークデバイスが前記第１リンク品質パラメータに基づいて、前記端末デバイスのリンクを前記第２ネットワークデバイスに切り替えることを含む
ことを特徴とする請求項４に記載のリンク管理のための方法。
【請求項７】
前記端末デバイスと前記第２ネットワークデバイスとの間の接続を要するかどうかを確定した後、前記方法は、さらに、
前記端末デバイスと前記第２ネットワークデバイスとの間の接続を要しないと確定し、且つ前記端末デバイスと前記第２ネットワークデバイスとの間の接続が存在している場合、前記第１ネットワークデバイスが前記端末デバイスと前記第２ネットワークデバイスとの間の接続を削除することを含む
ことを特徴とする請求項１〜６のいずれか１項に記載のリンク管理のための方法。
【請求項８】
前記第１リンク品質パラメータは、前記端末デバイスと前記第２ネットワークデバイスとの間の信号受信強度、信号受信品質、リンクパスロスのうちの少なくとも１つを含む
ことを特徴とする請求項１〜７のいずれか１項に記載のリンク管理のための方法。
【請求項９】
前記第１ネットワークデバイスが第２ネットワークデバイスにより送信された第１リンク品質パラメータを受信する前、前記方法は、さらに、
前記第１ネットワークデバイスが前記第２ネットワークデバイスに測定構成情報を送信することを含み、前記測定構成情報は、前記第２ネットワークデバイスが前記端末デバイスと前記第２ネットワークデバイスとの間のリンク品質を測定するように指示するために用いられ、
前記第１ネットワークデバイスが第２ネットワークデバイスにより送信された第１リンク品質パラメータを受信することは、
前記第１ネットワークデバイスが前記第２ネットワークデバイスの前記測定構成情報に基づいて送信した測定結果を受信することを含み、
前記測定結果には、測定されたビーム、セル、ネットワーク伝送ポイント、周波数ポイント情報のうちの少なくとも１つの前記第１リンク品質パラメータ及び前記端末デバイスのアップリンク送信時間基準情報のうちの少なくとも１つが含まれる
ことを特徴とする請求項１〜８のいずれか１項に記載のリンク管理のための方法。
【請求項１０】
前記測定構成情報は、
測定されたビーム、ネットワーク伝送ポイント、セル、周波数ポイント情報、測定量情報、測定結果報告条件、測定時間トリガ量、測定結果報告量、測定結果報告時間間隔、及び前記端末デバイスの送信時間基準情報を示すための指示要求情報の少なくとも１つを含み、
前記送信時間基準情報は、前記端末デバイスのデータ送信時間を示すために用いられる
ことを特徴とする請求項９に記載のリンク管理のための方法。
【請求項１１】
前記第１ネットワークデバイスが第２ネットワークデバイスにより送信された第１リンク品質パラメータを受信する前、前記方法は、さらに、
前記第１ネットワークデバイスが前記第２ネットワークデバイスに要求メッセージを送信することと、
前記第１ネットワークデバイスが前記第２ネットワークデバイスにより送信された前記基準信号の構成パラメータを受信することと、
前記第１ネットワークデバイスが前記端末デバイスに前記構成パラメータを送信することとを含み、
前記要求メッセージは、前記第２ネットワークデバイスが前記端末デバイスのために基準信号を構成するように要求するために用いられる
ことを特徴とする請求項１〜１０のいずれか１項に記載のリンク管理のための方法。
【請求項１２】
前記第１ネットワークデバイスが第２ネットワークデバイスにより送信された第１リンク品質パラメータを受信する前、前記方法は、さらに、
前記第１ネットワークデバイスが前記第２ネットワークデバイスに前記端末デバイスの基準信号の構成パラメータを送信することを含む
ことを特徴とする請求項１〜１１のいずれか１項に記載のリンク管理のための方法。
【請求項１３】
前記構成パラメータは、前記基準信号の送信が占用するリソース位置、信号コードワード、ビーム情報、ネットワーク伝送ポイント、及び前記基準信号の送信に使用する送信電力のうちの少なくとも１つを含む
ことを特徴とする請求項１１又は１２に記載のリンク管理のための方法。
【請求項１４】
リンク管理のための方法であって、
第２ネットワークデバイスが第１リンク品質パラメータを確定することと、
前記第２ネットワークデバイスが第１ネットワークデバイスに前記第１リンク品質パラメータを送信することとを含み、
前記第１リンク品質パラメータは、端末デバイスと前記第２ネットワークデバイスとの間のリンク品質を示すために用いられ、
前記第１ネットワークデバイスが前記端末デバイスに現在のサービスを提供する
ことを特徴とするリンク管理のための方法。
【請求項１５】
リンク管理のための装置であって、
第２ネットワークデバイスにより送信された第１リンク品質パラメータを受信するように構成される取得ユニットと、
前記取得ユニットにより取得された前記第１リンク品質パラメータに基づいて、前記端末デバイスと前記第２ネットワークデバイスとの間の接続を要するかどうかを確定するように構成される確定ユニットとを含み、
前記第１リンク品質パラメータは、端末デバイスと第２ネットワークデバイスとの間のリンク品質を示すために用いられ、
前記装置が前記端末デバイスに現在のサービスを提供する
ことを特徴とするリンク管理のための装置。
【国際調査報告】
2019534612.tif 000011
2019534612.tif 000012
2019534612.tif 000013
2019534612.tif 000014
2019534612.tif 000015
2019534612.tif 000016